(57)【要約】  本願の実施形態は、無線通信ネットワークにおける符号化のための方法を提供する。通信装置は、第１ビットシーケンスをインターリービングして、０のシーケンス番号で始まるシーケンス番号を有する第１のインターリービングされたシーケンスを取得し、第１ビットシーケンスはタイミングを示すビットを含み、タイミングを示す前記ビットは同期信号ブロックインデックス（ＳＳＢＩ）を示すビットのセットを含み、ＳＳＢＩを示すビットの前記セットは、前記第１のインターリービングされたシーケンスの中の２、３、及び５のシーケンス番号により示される位置に置かれる。前記装置は、次に、ｄ個の第１ＣＲＣビットを第１のインターリービングされたシーケンスに追加して、第２ビットシーケンスを取得し、次に、インターリーブパターンに従い前記第２ビットシーケンスにインターリービングして、第２のインターリービングされたシーケンスを取得し、最後に、前記第２のインターリービングされたシーケンスを極性符号化して、符号化シーケンスを取得する。
2020534746.tif 000002
【特許請求の範囲】
【請求項１】
極性符号化方法であって、
ブロードキャストシグナリングのペイロードｐａｙｌｏａｄがＤ個の巡回冗長検査ＣＲＣビット及びＭ個の予測可能情報ビットを含むことを決定するステップと、
前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得するステップであって、Ｍ＜Ｋ、且つＤ、Ｍ、及びＫは全て正整数である、ステップと、
前記マッピングされたビットに対して極性符号化を実行して、符号化ビットを取得するステップと、
前記符号化ビットを送信するステップと、
を含む符号化方法。
【請求項２】
前記Ｍ個の予測可能情報ビットは、以下のビットの組み合わせ：
Ｍ１個の第１種類ビット、Ｍ２個の第２種類ビット、又はＭ３個の第３種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、Ｍ１、Ｍ２、及びＭ３は全て正整数であり、Ｍ１≦Ｍ、Ｍ２≦Ｍ、及びＭ３≦Ｍである、請求項１に記載の符号化方法。
【請求項３】
前記Ｍ個の予測可能情報ビットが、前記Ｍ１個の第１種類ビット及び前記Ｍ２個の第２種類ビットを含む、又は前記Ｍ１個の予約ビット及び前記Ｍ３個の第２種類ビットを含むとき、前記Ｍ１個の第１種類ビットは、Ｍ個の情報ビットの中のＭ１個の低信頼性情報ビットにマッピングされ、
前記Ｍ２個の第２種類ビットは、前記Ｍ個の情報ビットの残りの情報ビットの中のＭ２個の低信頼性情報ビットにマッピングされる、又は、
前記Ｍ１個の第１種類ビットは、前記Ｍ個の情報ビットの中のＭ１個の低信頼性情報ビットにマッピングされ、
前記Ｍ３個の第２種類ビットは、前記Ｍ個の情報ビットの残りの情報ビットの中のＭ３個の低信頼性情報ビットにマッピングされる、
請求項１に記載の符号化方法。
【請求項４】
前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットは、Ｍ個の情報ビットの中のＭ１個の低信頼性情報ビットにマッピングされ、
前記Ｍ２個の第２種類ビットは、（Ｍ−Ｍ１)個の情報ビットの中のＭ２個の低信頼性情報ビットにマッピングされ、
前記Ｍ３個の第３種類ビットは、（Ｍ−Ｍ１−Ｍ２）個のビットの中のＭ３個の低信頼性情報ビットにマッピングされる、
請求項２に記載の符号化方法。
【請求項５】
前記ｐａｙｌｏａｄは、Ｊ個の非予測可能情報ビットを更に含み、
前記Ｊ個の非予測可能情報ビットは、（Ｋ−Ｍ−Ｄ）個の情報ビットの中のＪ個の低信頼性情報ビットにマッピングされ、Ｊ＜Ｋ、且つＪは正整数である、請求項１に記載の符号化方法。
【請求項６】
前記Ｍ個の低信頼性情報ビットは、予め設定された閾より低い信頼性のＭ個の情報ビットを含む、又は前記Ｍ個の低信頼性情報ビットは、前記Ｋ個の情報ビットの中のＭ個の最低信頼性情報ビットを含む、請求項１乃至５に記載の符号化方法。
【請求項７】
前記情報ビットの信頼性値は、ビットキャパシティ、バタチャリア距離Bhattacharyyaパラメータ、又は誤り確率に基づき決定される、請求項１乃至６に記載の符号化方法。
【請求項８】
極性符号化機器であって、
プロセッサであって、ブロードキャストシグナリングのペイロードｐａｙｌｏａｄがＤ個の巡回冗長検査ＣＲＣビット及びＭ個の予測可能情報ビットを含むことを決定し、前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、
前記マッピングされたビットに対して極性符号化を実行して、符号化された符号化ビットを取得する、よう構成されるプロセッサ、
を含む符号化機器。
【請求項９】
前記Ｍ個の予測可能情報ビットは、以下のビットの組み合わせ：
Ｍ１個の第１種類ビット、Ｍ２個の第２種類ビット、又はＭ３個の第３種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、Ｍ１、Ｍ２、及びＭ３は全て正整数であり、Ｍ１≦Ｍ、Ｍ２≦Ｍ、及びＭ３≦Ｍである、請求項８に記載の符号化機器。
【請求項１０】
前記Ｍ個の予測可能情報ビットが、前記Ｍ１個の第１種類ビット及び前記Ｍ２個の第２種類ビットを含む、又は前記Ｍ１個の予約ビット及び前記Ｍ３個の第２種類ビットを含むとき、前記Ｍ１個の第１種類ビットは、Ｍ個の情報ビットの中のＭ１個の低信頼性情報ビットにマッピングされ、
前記プロセッサは、具体的に、前記Ｍ２個の第２種類ビットを、前記Ｍ個の情報ビットの残りの情報ビットの中のＭ２個の低信頼性情報ビットにマッピングする、又は、
前記Ｍ１個の第１種類ビットを、前記Ｍ個の情報ビットの中のＭ１個の低信頼性情報ビットにマッピングし、前記Ｍ３個の第２種類ビットを、前記Ｍ個の情報ビットの残りの情報ビットの中のＭ３個の低信頼性情報ビットにマッピングする、よう構成される、
請求項９に記載の符号化機器。
【請求項１１】
前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットは、Ｍ個の情報ビットの中のＭ１個の低信頼性情報ビットにマッピングされ、
前記プロセッサは、更に、前記Ｍ２個の第２種類ビットを、（Ｍ−Ｍ１)個の情報ビットの中のＭ２個の低信頼性情報ビットにマッピングし、
前記Ｍ３個の第３種類ビットを、（Ｍ−Ｍ１−Ｍ２）個のビットの中のＭ３個の低信頼性情報ビットにマッピングする、よう構成される、
請求項９に記載の符号化機器。
【請求項１２】
前記ｐａｙｌｏａｄは、Ｊ個の非予測可能情報ビットを更に含み、
前記プロセッサは、更に、前記Ｊ個の非予測可能情報ビットを、（Ｋ−Ｍ−Ｄ）個の情報ビットの中のＪ個の低信頼性情報ビットにマッピングするよう構成され、Ｊ＜Ｋ、且つＪは正整数である、請求項８に記載の符号化機器。
【請求項１３】
前記Ｍ個の低信頼性情報ビットは、予め設定された閾より低い信頼性のＭ個の情報ビットを含む、又は前記Ｍ個の低信頼性情報ビットは、前記Ｋ個の情報ビットの中のＭ個の最低信頼性情報ビットを含む、請求項８乃至１２のいずれか一項に記載の符号化機器。
【請求項１４】
前記情報ビットの信頼性値は、ビットキャパシティ、バタチャリア距離Bhattacharyyaパラメータ、又は誤り確率に基づき決定される、請求項８乃至１３のいずれか一項に記載の符号化機器。
【請求項１５】
極性符号化方法であって、
ブロードキャストシグナリングのペイロードｐａｙｌｏａｄがＤ個の巡回冗長検査ＣＲＣビット及びＭ個の予測可能情報ビットを含むことを決定するステップと、
前記Ｍ個の予測可能情報ビットを、それぞれ、極性符号のＫ個の情報ビットに対応するサブチャネルの中のＭ個の低信頼性サブチャネルにマッピングし、前記Ｄ個の巡回冗長検査ＣＲＣビットを前記Ｋ個の情報ビットの残りの情報ビットに対応するサブチャネルの中のＤ個の高信頼性サブチャネルにマッピングして、マッピングされたビットを取得するステップであって、Ｍ＜Ｋ、且つＤ、Ｍ、及びＫは全て正整数である、ステップと、
前記マッピングされたビットに対して極性符号化を実行して、符号化ビットを取得するステップと、
前記符号化ビットを送信するステップと、
を含む符号化方法。
【請求項１６】
前記Ｍ個の予測可能情報ビットは、以下のビットの組み合わせ：
Ｍ１個の第１種類ビット、Ｍ２個の第２種類ビット、Ｍ３個の第３種類ビット、Ｍ４個の第４種類ビット、又はＭ５個の第５種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、前記第４種類ビットは非予測可能情報ビットであり、及び前記第５種類ビットは異なるシナリオにおいて異なるビット種類に属し、Ｍ１、Ｍ２、Ｍ３、Ｍ４、及びＭ５は全て正整数であり、且つＭ以下である、請求項１５に記載の符号化方法。
【請求項１７】
前記Ｍ個の予測可能情報ビットは、前記Ｍ１個の第１種類ビット及び前記Ｍ２個の第２種類ビットを含み、
前記Ｍ個の予測可能情報ビットを、それぞれ、極性符号のＫ個の情報ビットに対応するサブチャネルの中のＭ個の低信頼性サブチャネルにマッピングする前記ステップは、具体的に、
前記Ｍ１個の第１種類ビットをＭ個のサブチャネルの中のＭ１個の低信頼性サブチャネルにマッピングするステップであって、前記Ｍ個のサブチャネルは、前記極性符号の前記Ｋ個の情報ビットに対応する前記サブチャネルの中の前記Ｍ個の低信頼性サブチャネルである、ステップと、
前記Ｍ２個の第２種類ビットを（Ｍ-Ｍ１）個のサブチャネルの中のＭ２個の低信頼性情報ビットにマッピングするステップと、
を含む、請求項１５又は１６に記載の符号化方法。
【請求項１８】
前記Ｍ個の予測可能情報ビットが、前記Ｍ１個の第１種類ビット、前記Ｍ２個の第２種類ビット、及び前記Ｍ３個の第３種類ビットを含み、前記Ｍ個の予測可能情報ビットを、それぞれ、極性符号のＫ個の情報ビットに対応するサブチャネルの中のＭ個の低信頼性サブチャネルにマッピングする前記ステップは、具体的に、
前記Ｍ１個の第１種類ビットを、Ｍ個のサブチャネルの中のＭ１個の低信頼性サブチャネルにマッピングするステップと、
前記Ｍ２個の第２種類ビットを、（Ｍ−Ｍ１)個のサブチャネルの中のＭ２個の低信頼性情報ビットにマッピングするステップと、
前記Ｍ３個の第３種類ビットを、（Ｍ−Ｍ１−Ｍ２）個のサブチャネルの中のＭ３個の低信頼性情報ビットにマッピングするステップと、
を含む、請求項１５又は１６に記載の符号化方法。
【請求項１９】
前記Ｍ個の予測可能情報ビットは、前記Ｍ５個の第５種類ビットを含み、前記Ｍ５個の第５種類ビットをＭ個の情報ビットの中のＭ個の低信頼性情報ビットにマッピングする前記ステップは、具体的に、
前記Ｍ５個の第５種類ビットを以下の１つ以上のサブチャネルの組み合わせにマッピングするステップであって、前記１つ以上のサブチャネルの組み合わせは、
（Ｍ１+Ｍ５）個の第１種類ビットに対応するサブチャネルの中のＭ５個のサブチャネル、（Ｍ２+Ｍ５）個の第２種類ビットに対応するサブチャネルの中のＭ５個のサブチャネル、（Ｍ３+Ｍ５）個の第３種類ビットに対応するサブチャネルの中のＭ５個のサブチャネル、（Ｍ４+Ｍ５）個の第４種類ビットに対応するサブチャネルの中のＭ５個のサブチャネル、又はＭ２個の第２種類ビットに対応するＭ２個のサブチャネルとＭ３個の第３種類ビットに対応するＭ３個のサブチャネルとの間のＭ５個のサブチャネル、を含む、請求項１５又は１６に記載の符号化方法。
【請求項２０】
前記ｐａｙｌｏａｄは、Ｊ個の非予測可能情報ビットを更に含み、
前記Ｊ個の非予測可能情報ビットは、（Ｋ−Ｍ−Ｄ）個のサブチャネルの中のＪ個の低信頼性サブチャネルにマッピングされ、Ｊ＜Ｋ、且つＪは正整数である、請求項１５に記載の符号化方法。
【請求項２１】
極性符号化機器であって、
プロセッサであって、ブロードキャストシグナリングのペイロードｐａｙｌｏａｄがＤ個の巡回冗長検査ＣＲＣビット及びＭ個の予測可能情報ビットを含むことを決定し、
前記Ｍ個の予測可能情報ビットを、それぞれ、極性符号のＫ個の情報ビットに対応するサブチャネルの中のＭ個の低信頼性サブチャネルにマッピングし、前記Ｄ個の巡回冗長検査ＣＲＣビットを前記Ｋ個の情報ビットの残りの情報ビットに対応するサブチャネルの中のＤ個の高信頼性サブチャネルにマッピングして、マッピングされたビットを取得し、Ｍ＜Ｋ、且つＤ、Ｍ、及びＫは全て正整数であり、
前記マッピングされたビットに対して極性符号化を実行して、符号化ビットを取得するよう構成される、プロセッサ、
を含む符号化機器。
【請求項２２】
前記Ｍ個の予測可能情報ビットは、以下のビットの組み合わせ：
Ｍ１個の第１種類ビット、Ｍ２個の第２種類ビット、Ｍ３個の第３種類ビット、Ｍ４個の第４種類ビット、又はＭ５個の第５種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、前記第４種類ビットは非予測可能情報ビットであり、及び前記第５種類ビットは異なるシナリオにおいて異なるビット種類に属し、Ｍ１、Ｍ２、Ｍ３、Ｍ４、及びＭ５は全て正整数であり、且つＭ以下である、請求項２１に記載の符号化機器。
【請求項２３】
前記プロセッサは、具体的に、前記Ｍ個の予測可能情報ビットが、前記Ｍ１個の第１種類ビット及び前記Ｍ２個の第２種類ビットを含むとき、前記Ｍ１個の第１種類ビットを、Ｍ個のサブチャネルの中のＭ１個の低信頼性サブチャネルにマッピングし、前記Ｍ個のサブチャネルは、前記極性符号の前記Ｋ個の情報ビットに対応する前記サブチャネルの中の前記Ｍ個の低信頼性サブチャネルであり、前記Ｍ２個の第２種類ビットを（Ｍ-Ｍ１）個のサブチャネルの中のＭ２個の低信頼性情報ビットにマッピングするよう構成される、請求項２０又は２１に記載の符号化機器。
【請求項２４】
前記プロセッサは、具体的に、前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットを、Ｍ個のサブチャネルの中のＭ１個の低信頼性サブチャネルにマッピングし、前記Ｍ２個の第２種類ビットを、（Ｍ−Ｍ１)個のサブチャネルの中のＭ２個の低信頼性情報ビットにマッピングし、前記Ｍ３個の第３種類ビットを、（Ｍ−Ｍ１−Ｍ２）個のサブチャネルの中のＭ３個の低信頼性情報ビットにマッピングする、よう構成される、請求項２０又は２１に記載の符号化機器。
【請求項２５】
前記プロセッサは、具体的に、前記Ｍ個の予測可能情報ビットが、前記Ｍ５個の第５種類ビットを含むとき、前記Ｍ５個の第５種類ビットを以下の１つ以上のサブチャネルの組み合わせにマッピングするよう構成され、前記１つ以上のサブチャネルの組み合わせは、
（Ｍ１+Ｍ５）個の第１種類ビットに対応するサブチャネルの中のＭ５個のサブチャネル、（Ｍ２+Ｍ５）個の第２種類ビットに対応するサブチャネルの中のＭ５個のサブチャネル、（Ｍ３+Ｍ５）個の第３種類ビットに対応するサブチャネルの中のＭ５個のサブチャネル、（Ｍ４+Ｍ５）個の第４種類ビットに対応するサブチャネルの中のＭ５個のサブチャネル、又はＭ２個の第２種類ビットに対応するＭ２個のサブチャネルとＭ３個の第３種類ビットに対応するＭ３個のサブチャネルとの間のＭ５個のサブチャネル、を含む、請求項２０又は２１に記載の符号化機器。
【請求項２６】
前記ｐａｙｌｏａｄは、Ｊ個の非予測可能情報ビットを更に含み、
前記プロセッサは、更に、前記Ｊ個の非予測可能情報ビットを、（Ｋ−Ｍ−Ｄ）個のサブチャネルの中のＪ個の低信頼性サブチャネルにマッピングするよう構成され、Ｊ＜Ｋ、且つＪは正整数である、請求項２０に記載の符号化機器。
【請求項２７】
極性符号化機器であって、プロセッサとメモリとを含み、前記メモリは一群のプログラムを格納し、前記プロセッサは、前記メモリに格納された前記プログラムを呼び出すよう構成され、前記プログラムが実行されると、前記プロセッサは、請求項１５乃至２０のいずれか一項に記載の方法を実行可能にされる、極性符号化機器。
【請求項２８】
命令を含むコンピュータ可読記憶媒体であって、前記命令がコンピュータ上で実行すると、前記コンピュータは、請求項１５乃至２０のいずれか一項に記載の方法を実行可能にされる、コンピュータ可読記憶媒体。
【請求項２９】
極性符号化方法であって、
ビットシーケンスを入力するステップであって、前記ビットシーケンスは時系列を表すビットを含み、前記時系列を表す前記ビットは、前記時系列の同期ブロックインデックスＳＳＢＩを含む、ステップと、
前記ビットシーケンスにインターリービング及びマッピングを実行し、インターリーブされたビットシーケンスを出力するステップであって、前記ＳＳＢＩは前記インターリーブされたビットシーケンスに対応するシーケンスセットにマッピングされ、前記シーケンスセットは｛２，３，５｝である、ステップと、
ｄ個の巡回冗長検査ＣＲＣビットを前記インターリーブされたビットシーケンスに接続して接続されたビットシーケンスを取得するステップであって、ｄは正整数である、ステップと、
分散型巡回冗長検査ＣＲＣビットインターリービングパターンに基づき、前記接続されたビットシーケンスに対してＤ−ＣＲＣインターリービングを実行して、Ｄ−ＣＲＣインターリービングされたビットシーケンスを出力するステップと、
前記Ｄ−ＣＲＣインターリービングされたビットシーケンスに対して極性ｐｏｌａｒ符号化を実行するステップと、
極性符号化ビットを出力するステップと、
を含む極性符号化方法。
【請求項３０】
時系列を表す前記ビットは、更に、半フレーム指示子ＨＦＩを含み、前記方法は、更に、
前記ＨＦＩを情報ビットセットの中の最小自然シーケンス番号を有するビットにマッピングするステップであって、前記情報ビットセットは、極性情報ビットに対応するサブチャネルの自然シーケンス番号の前から後ろへの格納を通じて取得されるビットセットである、ステップ、
を含む請求項２９に記載の符号化方法。
【請求項３１】
前記Ｄ−ＣＲＣインターリービングされたビットシーケンスに対して極性ｐｏｌａｒ符号化を実行する前記ステップは、具体的に、
前記Ｄ−ＣＲＣインターリービングされたビットシーケンスを表す前記ビットを、前記ｄ個のＣＲＣビットにより占有されるサブチャネルがｐｏｌａｒサブチャネルから除外された後に取得された残りのサブチャネルのｐｏｌａｒサブチャネルにマッピングするステップ、を含む、請求項２９に記載の符号化方法。
【請求項３２】
ｄは２４である、請求項２９に記載の符号化方法。
【請求項３３】
前記Ｄ−ＣＲＣインターリービングパターンは、
（０  ２  ３  ５  ７  １０  １１  １２  １４  １５  １８  １９  ２１  ２４  ２６  ３０  ３１  ３２  １  ４  ６  ８  １３  １６  ２０  ２２  ２５  ２７  ３３  ９  １７  ２３  ２８  ３４  ２９  ３５  ３６  ３７  ３８  ３９  ４０  ４１  ４２  ４３  ４４  ４５  ４６  ４７  ４８  ４９  ５０  ５１  ５２  ５３  ５４  ５５）である、請求項２９乃至３２のいずれか一項に記載の符号化方法。
【請求項３４】
前記ビットシーケンスに対してインターリービング及びマッピングを実行する前記ステップは、具体的に、
時系列を表す前記ビットがＳＦＮであるとき、前記ＳＦＮの一部が、前記インターリービングされたビットシーケンスに対応するシーケンスセットの中のサブセットにマッピングされ、前記サブセットは｛１０，３０，８，１７，１８，２３，１６｝である、又は前記サブセットは｛６，１０，３０，８，１７，１８，２３｝である、ことである、請求項２９に記載の符号化方法。
【請求項３５】
極性符号化機器であって、プロセッサとメモリとを含み、前記メモリは一群のプログラムを格納し、前記プロセッサは、前記メモリに格納された前記プログラムを呼び出すよう構成され、前記プログラムが実行されると、前記プロセッサは、請求項２９乃至３４のいずれか一項に記載の方法を実行可能にされる、極性符号化機器。
【請求項３６】
命令を含むコンピュータ可読記憶媒体であって、前記命令がコンピュータ上で実行すると、前記コンピュータは、請求項２９乃至３４のいずれか一項に記載の方法を実行可能にされる、コンピュータ可読記憶媒体。
【請求項３７】
符号化機器であって、前記機器は、請求項２９乃至３４のいずれか一項に記載の方法を実行するよう構成される符号化機器。
【発明の詳細な説明】
【技術分野】
【０００１】
［関連出願］
本願は、２０１８年９月１８日出願の中国特許出願第２０１７１１１４８２３９．３号及び２０１７年９月１８日出願の中国特許出願第２０１７１０８４３５５４．１号の優先権を主張する国際出願番号第ＰＣＴ／ＣＮ２０１８／１０６２８８号、２０１７年９月１８日出願の継続出願である。前述の特許出願の開示は、それらの全体が参照によりここに組み込まれる。
【０００２】
［技術分野］
本発明の実施形態は、符号化及び復号分野に関し、より具体的には、極性符号化のための方法及び機器に関する。
【背景技術】
【０００３】
通信システムでは、チャネル符号化は、通常、通信品質を保証するために、データ送信の信頼性を向上するために使用される。極性符号（ｐｏｌａｒ符号）は、低い符号化及び復号の複雑性で、シャノンの容量を達成できる符号化方法である。ｐｏｌａｒ符号は、情報ビット及び凍結ビットを含む線形ブロック符号である。ｐｏｌａｒ符号を生成するマトリクスはＧＮであり、ｐｏｌａｒ符号を符号化する処理はｘ１Ｎ＝ｕ１ＮＧＮである。ここで、ｕ１Ｎ＝｛ｕ１，ｕ２，．．．，ｕＮ｝は，長さＮのバイナリ行ベクトルである。
【０００４】
しかしながら、チャネル符号化がｐｏｌａｒ符号を用いて物理ブロードキャストチャネル（Physical  Broadcast  Channel,  PBCH）に対して実行されるとき、ブロードキャストチャネルの送信信頼性を更に向上する余地がまだある。
【発明の概要】
【０００５】
本願は、極性符号化方法であって、ブロードキャストシグナリングのペイロードがＤ個の巡回冗長検査ＣＲＣビット及びＭ個の予測可能情報ビットを含むことを決定するステップと、前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得するステップであって、Ｍ＜Ｋ、且つＤ、Ｍ、及びＫは全て正整数である、ステップと、前記マッピングされたビットに対して極性符号化を実行して、符号化された符号化ビットを取得するステップと、前記符号化ビットを送信するステップと、を含む符号化方法を提供する。
【０００６】
本願は、極性符号化方法であって、プロセッサであって、ブロードキャストシグナリングのペイロードがＤ個の巡回冗長検査ＣＲＣビット及びＭ個の予測可能情報ビットを含むことを決定し、前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、前記マッピングされたビットに対して極性符号化を実行して、符号化された符号化ビットを取得する、よう構成されるプロセッサを含む極性符号化機器を含む符号化方法を提供する。
【図面の簡単な説明】
【０００７】
本発明の実施形態における技術的ソリューションを更に明確に説明するために、以下は、本発明の実施形態を説明するために必要な添付の図面を簡単に説明する。明らかに、以下の説明において添付の図面は、単に本発明の幾つかの実施形態を示し、当業者は、創造的労力を伴わずにこれらの添付の図面から他の図面を更に導出し得る。
【０００８】
【図１】本明細書に記載される実施形態による無線通信システムを示す。
【０００９】
【図２】無線通信環境における、本発明による極性符号化方法が適用可能なシステムの概略ブロック図である。
【００１０】
【図３】本発明の一実施形態による極性符号化方法の概略フローチャートである。
【００１１】
【図３Ａ】本発明の一実施形態による極性符号化方法の概略ブロック図である。
【００１２】
【図３Ｂ】本発明の一実施形態による他の極性符号化方法の概略ブロック図である。
【００１３】
【図４】本発明の一実施形態による極性符号化機器の概略ブロック図である。
【００１４】
【図５】無線通信システムにおける、前述のｐｏｌａｒ符号化方法を実行するアクセス端末の概略図である。
【００１５】
【図６】無線通信環境における、前述のｐｏｌａｒ符号化方法を実行するシステムの概略図である。
【００１６】
【図７】無線通信環境における、前述のｐｏｌａｒ符号化方法を実行するシステムの概略図である。
【発明を実施するための形態】
【００１７】
以下は、本発明の実施形態において、添付の図面を参照して、本発明の実施形態における技術的ソリューションを明確に説明する。明らかに、記載の実施形態は、本発明の実施形態の一部であり、全部ではない。創造的労力を伴わずに本発明の実施形態に基づき当業者により得られる全ての他の実施形態は、本発明の保護範囲に含まれるべきである。
【００１８】
本明細書で使用される「コンポーネント」、「モジュール」、及び「システム」のような用語は、コンピュータ関連エンティティ、ハードウェア、ファームウェア、ハードウェアとソフトウェアとの組み合わせ、ソフトウェア、又は実行中のソフトウェアを示すために使用される。例えば、コンポーネントは、限定ではないが、プロセッサ上で実行するプロセス、プロセッサ、オブジェクト、実行ファイル、実行スレッド、プログラム、及び／又はコンピュータであってよい。コンピューティング装置及びコンピューティング装置上で実行するアプリケーションは、両者とも、コンポーネントであってよい。１つ以上のコンポーネントは、プロセス及び／又は実行スレッドの中に存在してよく、コンポーネントは、１つのコンピュータ上に位置し及び／又は２つ以上のコンピュータの間で分散されてよい。さらに、これらのコンポーネントは、種々のデータ構造を格納する種々のコンピュータ可読媒体から実行されてよい。例えば、コンポーネントは、ローカル及び／又はリモートプロセスを用いて、例えば１つ以上のデータパケットを有する信号（例えば、ローカルシステム内の、分散型システム内の、及び／又はインターネットのようなネットワークに渡る、該信号を用いて他のシステムと相互作用する、別のコンポーネントと相互作用する２つのコンポーネントからのデータ）に基づき、通信してよい。
【００１９】
さらに、実施形態は、アクセス端末を参照して説明される。アクセス端末は、システム、加入者ユニット、加入者局、移動局、移動局、リモート局、リモート端末、モバイル装置、ユーザ端末、端末、無線通信装置、ユーザエージェント、ユーザ装置、又はＵＥ（ユーザ機器）と呼ばれてもよい。アクセス端末は、セルラ電話機、コードレス電話機、ＳＩＰ（Session  Initiation  Protocol、セッション開始プロトコル）電話機、ＷＬＬ（wireless  local  loop、無線ローカルループ）局、ＰＤＡ（personal  digital  assistant、パーソナルデジタルアシスタント）、無線通信機能を有するハンドヘルド装置、コンピューティング装置、又は無線モデムに接続された別の処理装置であってよい。さらに、実施形態は、基地局を参照して説明される。基地局は、モバイル装置と通信するよう構成されてよい。基地局は、ＧＳＭ（Global  System  for  Mobile  communications、グローバル・システム・フォー・モバイル・コミュニケーションズ）における又はＣＤＭＡ（Code  Division  Multiple  Access、符号分割多元接続）におけるＢＴＳ（base  transceiver  station、基地トランシーバ局）であってよく、又はＷＣＤＭＡ（Wideband  Code  Division  Multiple  Access、広帯域符号分割多元接続）におけるＮＢ（NodeB、ノードＢ）であってよく、又は、ＬＴＥ（Long  Term  Evolution、ロングタームエボリューション）におけるｅＮＢ又はｅＮｏｄｅＢ（evolved  NodeB、進化型ノードＢ）、中継局又はアクセスポイント、将来の５Ｇネットワークにおける基地局装置、等であってよい。
【００２０】
さらに、本発明の各々の態様又は特徴は、方法、機器、又は標準的なプログラミング及び／又はエンジニアリング技術を使用するプロダクトとして実装されてよい。本願において使用される用語「プロダクト」は、任意のコンピュータ可読装置、キャリア、又は媒体からアクセス可能なコンピュータプログラムを包含する。例えば、コンピュータ可読媒体は、限定ではないが、磁気記憶装置（例えば、ハードディスク、フロッピーディスク、又は磁気テープ）、光ディスク（例えば、ＣＤ（compact  disc、コンパクトディスク）、又はＤＶＤ（digital  versatile  disc、デジタルバーサタイルディスク））、スマートカード、及びフラッシュメモリ装置（例えば、ＥＰＲＯＭ（Erasable  Programmable  Read-Only  Memory、消去可能プログラマブル読み出し専用メモリ）、カード、スティック、又はキードライバ）を含んでよい。さらに、本明細書に記載の種々の記憶媒体は、情報を格納するために使用される１つ以上の装置及び／又は他の機械可読媒体を示してよい。用語「機械可読媒体」は、限定ではないが、無線チャネル、命令及び／又はデータを格納し、含み、及び／又は運ぶことのできる種々の他の媒体を含んでよい。
【００２１】
図１は、本明細書に記載される実施形態による無線通信システムを示す。システム１００は、基地局１０２を含む。基地局１０２は、複数のアンテナセットを含んでよい。例えば、１つのアンテナセットはアンテナ１０４及び１０６を含んでよく、別のアンテナセットはアンテナ１０８及び１１０を含んでよく、更なるセットはアンテナ１１２及び１１４を含んでよい。各アンテナセットについて２つのアンテナが示される。しかしながら、より多くの又は少ないアンテナが各セットにおいて使用されてよい。基地局１０２は、送信機チェーン及び受信機チェーンを更に含んでよい。当業者は、送信機チェーン及び受信機チェーンの両方が、信号送信及び受信に関連する複数のコンポーネント（例えば、プロセッサ、変調器、マルチプレクサ、復調器、デマルチプレクサ、又はアンテナ）を含んでよいことを理解し得る。
【００２２】
基地局１０２は、１つ以上のアクセス端末（例えば、アクセス端末１１６及びアクセス端末１２２）と通信してよい。しかしながら、基地局１０２は、アクセス端末１１６及び１２２と同様の殆どいかなる数のアクセス端末と通信し得ることが理解され得る。アクセス端末１１６及び１２２は、例えば、セルラ電話機、スマートフォン、ポータブルコンピュータ、ハンドヘルド通信装置、ハンドヘルドコンピューティング装置、衛星無線機器、全地球測位システム、ＰＤＡ、及び／又は無線通信システム１００内で通信するよう構成される任意の他の適切な装置であってよい。図１に示すように、アクセス端末１１６は、アンテナ１１２及び１１４と通信する。アンテナ１１２及び１１４は、順方向リンク１１８を用いてアクセス端末１１６へ情報を送信し、逆方向リンク１２０を用いてアクセス端末１１６から情報を受信する。さらに、アクセス端末１２２は、アンテナ１０４及び１０６と通信する。アンテナ１０４及び１０６は、順方向リンク１２４を用いてアクセス端末１２２へ情報を送信し、逆方向リンク１２６を用いてアクセス端末１２２から情報を受信する。ＦＤＤ（Frequency  Division  Duplex、周波数分割復信）システムでは、例えば、順方向リンク１１８は、逆方向リンク１２０により使用される周波数帯と異なる周波数帯を使用してよく、順方向リンク１２４は、逆方向リンク１２６により使用される周波数帯と異なる周波数帯を使用してよい。さらに、ＴＤＤ（Time  Division  Duplex、時分割復信）システムでは、順方向リンク１１８及び逆方向リンク１２０は、同じ周波数帯を使用してよく、順方向リンク１２４及び逆方向リンク１２６は同じ周波数帯を使用してよい。
【００２３】
通信のために指定される各アンテナセット及び／又はアンテナ領域は、基地局１０２のセクタとして呼ばれる。例えば、アンテナセットは、基地局１０２のカバレッジエリア内のセクタの中のアクセス端末と通信するために指定されてよい。順方向リンク１１８及び１２４を使用する通信の間に、基地局１０２の送信アンテナは、ビーム形成を用いて、アクセス端末１１６の順方向リンク１１８の信号対雑音比、及びアクセス端末１２２の順方向リンク１２４の信号対雑音比を向上してよい。さらに、基地局が単一のアンテナを用いて該基地局の全てのアクセス端末へ送信するのと比べて、基地局１０２がビーム形成を用いて関連するカバレッジエリア内にランダムに分散したアクセス端末１１６及び１２２への送信を実行するとき、近隣セル内のモバイル装置はあまり干渉に苦しまない。
【００２４】
所与の時間内に、基地局１０２、アクセス端末１１６、及び／又はアクセス端末１２２は、無線通信送信機器及び／又は無線通信受信機器になり得る。データを送信するとき、無線通信送信機器は、送信のためにデータを符号化してよい。具体的に、無線通信送信機器は、チャネルを用いて無線通信受信機器へ送信される必要のある特定量の情報ビットを有して（例えば、生成し、取得し、又はメモリに格納して）よい。このような情報ビットは、データのトランスポートブロック（又は複数のトランスポートブロック）に含まれてよい。トランスポートブロックは、複数の符号ブロックを生成するために、セグメント化されてよい。さらに、無線通信送信機器は、データ送信の信頼性を向上し及び更に通信品質を保証するために、ｐｏｌａｒ符号エンコーダ（図示しない）を使用して、各符号ブロックを符号化してよい。
【００２５】
図２は、無線通信環境における、本発明による極性符号化方法が適用可能なシステムの概略ブロック図である。システム２００は、無線通信装置２０２を含む。無線通信装置２０２は、チャネルを用いてデータを送信するよう示される。データ送信が示されるが、無線通信装置２０２は、更にチャネルを用いてデータを受信してよい（例えば、無線通信装置２０２は、同時にデータを送信し及び受信してよく、無線通信装置２０２は、異なる時点でデータを送信し及び受信してよく、又は２つの場合の組み合わせが使用されてよい、等である）。無線通信装置２０２は、例えば、基地局（例えば、図１に示した基地局１０２）、アクセス端末（例えば、図１に示したアクセス端末１１６、図１に示したアクセス端末１２２）、等であってよい。
【００２６】
無線通信装置２０２は、極性符号エンコーダ２０４、レートマッチング機器２０５、及び送信機２０６を含んでよい。任意で、無線通信装置２０２がチャネルを用いてデータを受信するとき、無線通信装置２０２は、受信機を更に含んでよい。受信機は、別個に存在してよく、又は通信機を形成するために送信機２０６と共に統合されてよい。
【００２７】
極性符号エンコーダ２０４は、無線通信機器２０２から送信される必要のあるデータを符号化して、符号化極性符号を取得するよう構成される。
【００２８】
本発明の本実施形態では、極性エンコーダ２０４は、ブロードキャストシグナリングのペイロードｐａｙｌｏａｄがＤ個の巡回冗長検査ＣＲＣビット及びＭ個の予測可能情報ビットを含むことを決定し、Ｍ個の予測可能情報ビットを、それぞれ、極性符号のＫ個の情報ビットの中のＭ個の低信頼性情報ビットにマッピングし、Ｄ個の巡回冗長検査ＣＲＣビットをＫ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、マッピングされたビットに対して極性符号化を実行して、符号化された符号化ビットを取得する、よう構成される。
【００２９】
さらに、送信機２０６は、続いて、チャネル上で、レートマッチング機器２０５により処理された、レートマッチングの行われた出力ビットを送信してよい。例えば、送信機２０６は、別の異なる無線通信機器（図示しない）へ関連するデータを送信してよい。
【００３０】
前述の極性符号エンコーダが処理を実行する特定のプロセスは、以下に詳細に記載される。留意すべきことに、これらの例は、当業者が本発明の実施形態をよりよく理解することを助けることのみを意図しており、本発明の実施形態の範囲を限定するものではない。
【００３１】
図３は、本発明の一実施形態による極性符号化方法の概略フローチャートである。図３に示す方法は、無線通信装置、例えば、図２に示す無線通信装置内の極性エンコーダ２０４により実行されてよい。図３の符号化方法は、以下のステップを含む。
【００３２】
３０１。ブロードキャストシグナリングのペイロードｐａｙｌｏａｄが、Ｄ個の巡回冗長検査ＣＲＣビット及びＭ個の予測可能情報ビットを含むことを決定する。ここで、Ｍ＜Ｋ、且つＭ及びＫは両方とも正整数である。
【００３３】
理解されるべきことに、ブロードキャストシグナリングは、物理ブロードキャストチャネルＰＢＣＨのようなブロードキャストチャネル上で伝達されるシグナリングである。以下は、一例としてＰＢＣＨを用いて、符号化方法を詳細に記載する。しかしながら、本発明はＰＢＣＨに限定されない。
【００３４】
ＰＢＣＨのペイロードｐａｙｌｏａｄは、Ｄ個の巡回冗長検査ＣＲＣビット及びＭ個の予測可能情報ビットを含む。
【００３５】
理解されるべきことに、ＰＢＣＨのｐａｙｌｏａｄは、アクセスサービスの内容が可変か否かに依存して、以下の４種類に分類される。
【００３６】
第１種類ビットは、予約ビット、又は値が完全に一定である同様の情報ビット、又は値がプロトコルに従い直接決定されるビットを含む。
【００３７】
第２種類ビットは、値が不変のままである情報ビット、つまり、マスタ情報ブロック（Master  Information  Block,  MIB）の中で不変に保たれる情報ビットを含み、又は代替として、ＭＩＢ内の値がプロトコルに従い直接決定できないが、ネットワークアクセス中に検出され不変に保つ必要のある情報ビットとして理解されてよい。例えば、第２種類ビットは、システム帯域幅関連情報、サブキャリア情報、基地局ＢＳによりサポートされるシステム構成ｎｕｍｅｒｏｌｏｇｙの指示情報、ユニバーサル制御チャネル情報、等のうちの１つ以上を含んでよい。
【００３８】
第３種類ビットは、時系列情報の内容が変化する予測可能情報ビット、つまり時系列情報の内容が変化する予測可能ＭＩＢ情報部分を含む。
【００３９】
理解されるべきことに、第３種類ビットの適用シナリオは、初期アクセス段階では生じない。
【００４０】
例えば、第３種類ビットは、システムフレーム番号（ＳＦＮ）、同期信号、ＳＳ  ＳＳ  ｂｌｏｃｋのシーケンス番号、半フレーム指示子（half  frame  indicator、ＨＦＩ）、等のうちの１つ以上を含む。
【００４１】
第４種類ビットは、非予測可能情報ビット、つまり、情報が常に変化し得る非予測可能ＭＩＢ情報部分を含む。例えば、現在フレームの制御チャネル構成情報では、構成は、繰り返し現れることがあるが、常に変化し得る。
【００４２】
第３種類ビットと異なり、第４種類ビットは、毎回相応して検出される必要がある。
【００４３】
例えば、第４種類ビットは、現在システム構成パラメータｎｕｍｅｒｏｌｏｇｙの指示情報、及びＳＩＢリソース指示情報を含む。
【００４４】
第４種類のＭＩＢ情報が存在する場合、対応するＣＲＣビットも第４種類ビットに属する。
【００４５】
理解されるべきことに、ＭＩＢが第４種類ビットを含まない場合、ＣＲＣビットは、第３種類ビットとして分類されてよく、又は、ＭＩＢが第４種類ビットを含まない場合、ＣＲＣビットは第４種類ビットとして分類され、又は、ＭＩＢが第３種類ビット及び第４種類ビットの両方を含む場合、ＣＲＣビットは、第４種類ビットとして分類される。ここで、ＣＲＣが分類されるとき、以下が主に考慮される：第３種類ビットのセットが存在する場合、ＣＲＣビットの値は、ＭＩＢ情報の中の第３種類ビットに依存する、又は、第４種類ビットが存在する場合、ＣＲＣビットの値は、ＭＩＢ情報の中の第４種類ビットに依存する。したがって、前述の分類は、ＣＲＣビットについて実行される。
【００４６】
前述の分類に基づき、ＰＢＣＨのｐａｙｌｏａｄは、前述の４種類のビットセットに分類される。ＰＢＣＨのｐａｙｌｏａｄは前述の４種類のビットセットのうちの１つ以上を含んでよいことが理解され得る。
【００４７】
予測可能情報ビットが予測可能か否かに依存して、第１種類ビットから第３種類ビットは、予測可能情報ビットとして更に分類されてよく、一方で、第４種類ビットは非予測可能情報ビットとして分類されてよい。Ｍ個の予測可能情報ビットは、以下のビットの組み合わせ：Ｍ１個の第１種類ビット、Ｍ２個の第２種類ビット、又はＭ３個の第３種類ビット、のうちの１つ以上を含む。第１種類ビットは予約ビットである。第２種類ビットは、値が不変のままである情報ビットを含む。第３種類ビットは、値が時系列情報の内容であり変化する予測可能情報ビットである。Ｍ１、Ｍ２、及びＭ３は全て正整数であり、Ｍ１≦Ｍ、Ｍ２≦Ｍ、及びＭ３≦Ｍである。
【００４８】
３０２。Ｍ個の予測可能情報ビットを、それぞれ、極性符号のＫ個の情報ビットの中のＭ個の低信頼性情報ビットにマッピングし、Ｄ個の巡回冗長検査ＣＲＣビットをＫ個の情報ビットの残りの情報ビットの中のＤ個の高信頼性情報ビットにマッピングして、マッピングされたビットを取得する。ここで、Ｍ＜Ｋ、且つＤ、Ｍ、及びＫは全て正整数である。
【００４９】
全体で、ビットセットの前述の分類、及び第１種類から第４種類までの順序に基づき、ＰＢＣＨのｐａｙｌｏａｄの内容は、情報ビットセットの中のサブチャネルの信頼性の昇順で、ｐｏｌａｒ符号の情報ｂｉｔセットにマッピングされる。特定のマッピング方法は、異なる分類された種類に従い変化する。
【００５０】
同じ種類の内容が極性符号の情報ビットｂｉｔセットの中のサブチャネルにマッピングされるとき、同じ種類の異なるビットの順序は入れ替えられてよい。例えば、Ｍ３個の第３種類ビットは、システムフレーム番号のＭ１個の情報ビット、及び同期ブロックＳＳブロックのシーケンス番号のＭ２個の情報ビットを含む。第３種類ビットの中のシステムフレーム番号のビット及び同期ブロックＳＳ  ｂｌｏｃｋのシーケンス番号のビットが、ｐｏｌａｒ符号の情報ビットセットの中のサブチャネルにマッピングされるとき、システムフレーム番号のＭ１個のビットはＭ個の低信頼性情報ビットの中のＭ１個の情報ビットにマッピングされ、ＳＳ  ｂｌｏｃｋのシーケンス番号のＭ２個の情報ビットは、Ｍ個の低信頼性情報ビットの残りの情報ビットの中のＭ２個の低信頼性情報ビットにマッピングされる、又は、ＳＳ  ｂｌｏｃｋのシーケンス番号のＭ２個の情報ビットは、Ｍ個の低信頼性情報ビットの中のＭ２個の情報ビットにマッピングされ、システムフレーム番号のＭ１個のビットはＭ個の低信頼性情報ビットの残りの情報ビットの中のＭ１個の低信頼性情報ビットにマッピングされる。
【００５１】
ＳＳ  ｂｌｏｃｋは、１次同期シーケンス及び２次同期シーケンスを運ぶ。
【００５２】
ブロードキャストシグナリングは、通常、実際には有用な情報を運ばない幾つかの予約ビットを含む。このように、ｐｏｌａｒ符号化中に、ビットは分類され、分類された種類のビットは、ルールに従い低信頼性情報ビットにマッピングされる。予約ビットが送信中に変化した場合でも、ブロードキャストシグナリングの正しい復号は影響されない。
【００５３】
更に理解されるべきことに、信頼性の測定形式は、本発明の本実施形態に限定されない。例えば、ビットキャパシティ、バタチャリア距離、Ｂｈａｔｔａｃｈａｒｙｙａパラメータ、又は誤り確率、のような既存のｐｏｌａｒ符号信頼性メトリックを参照してよい。
【００５４】
任意で、Ｍ個の予測可能情報ビットは、以下のビットの組み合わせ：Ｍ１個の第１種類ビット、Ｍ２個の第２種類ビット、又はＭ３個の第３種類ビット、のうちの１つ以上を含む。第１種類ビットは予約ビットである。第２種類ビットは、値が不変のままである情報ビットを含む。第３種類ビットは、値が時系列情報の内容であり変化する予測可能情報ビットである。Ｍ１、Ｍ２、及びＭ３は全て正整数であり、Ｍ１≦Ｍ、Ｍ２≦Ｍ、及びＭ３≦Ｍである。
【００５５】
さらに、任意で、Ｍ個の予測可能情報ビットが、Ｍ１個の第１種類ビット及びＭ２個の第２種類ビットを含む、又はＭ１個の予約ビット及び前記Ｍ３個の第２種類ビットを含むとき、Ｍ１個の第１種類ビットは、Ｍ個の情報ビットの中のＭ１個の低信頼性情報ビットにマッピングされ、Ｍ２個の第２種類ビットは、前記Ｍ個の情報ビットの残りの情報ビットの中のＭ２個の低信頼性情報ビットにマッピングされる、又は、Ｍ１個の第１種類ビットは、Ｍ個の情報ビットの中のＭ１個の低信頼性情報ビットにマッピングされ、Ｍ３個の第２種類ビットは、Ｍ個の情報ビットの残りの情報ビットの中のＭ３個の低信頼性情報ビットにマッピングされる。
【００５６】
任意で、Ｍ個の予測可能情報ビットが、Ｍ１個の第１種類ビット、Ｍ２個の第２種類ビット、及びＭ３個の第２種類ビットを含むとき、Ｍ１個の第１種類ビットは、Ｍ個の情報ビットの中のＭ１個の低信頼性情報ビットにマッピングされ、Ｍ２個の第２種類ビットは、（Ｍ−Ｍ１)個の情報ビットの中のＭ２個の低信頼性情報ビットにマッピングされ、Ｍ３個の第３種類ビットは、（Ｍ−Ｍ１−Ｍ２）個のビットの中のＭ３個の低信頼性情報ビットにマッピングされる。
【００５７】
ｐａｙｌｏａｄは、Ｊ個の非予測可能情報ビットを更に含み、  Ｊ個の非予測可能情報ビットは、（Ｋ−Ｍ−Ｄ）個の情報ビットの中のＪ個の低信頼性情報ビットにマッピングされ、Ｊ＜Ｋ、且つＪは正整数である。
【００５８】
例を用いて以下に記載される、ｐｏｌａｒ符号信頼性の昇順の、前述の４つの分類された種類の情報ビットの並べ替えの可能なシーケンスは、以下のうちの１つ以上を含み得るが、これに限定されない。
【００５９】
例１．１：ｐｏｌａｒ符号信頼性の昇順で、４つの分類された種類のビットを含むビットの並べ替えのシーケンスは、第１種類ビット、第２種類ビット、第３種類ビット、第４種類ビット、ＣＲＣビット、であってよい。
【００６０】
各種類のビットの前述の例、及び前述のシーケンスに基づき、一例は、Ｒｅｓｅｒｖｅｄ  ｂｉｔを含む第１種類ビット、帯域幅情報及びユニバーサル制御チャネル構成情報を含む第２種類ビット、時系列情報を含む第３種類ビット、ＳＩＢ指示を含む第４種類ビット、ＣＲＣビットである。
【００６１】
ビットは、前述の並べ替えシーケンスの中でｐｏｌａｒ符号信頼性の昇順で低信頼性位置にマッピングされる。
【００６２】
例１．２：ｐｏｌａｒ符号信頼性の昇順で、４つの分類された種類のビットを含むビットの並べ替えのシーケンスは、第１種類ビット、第２種類ビット、第３種類ビット、第４種類ビット、ＣＲＣビット、であってよい。
【００６３】
各種類のビットの前述の例、及び前述のシーケンスに基づき、一例は、Ｒｅｓｅｒｖｅｄ  ｂｉｔを含む第１種類ビット、ユニバーサル制御チャネル構成情報及び帯域幅情報を含む第２種類ビット、時系列情報を含む第３種類ビット、ＳＩＢ指示を含む第４種類ビット、ＣＲＣビットである。
【００６４】
例１．２では、第２種類ビットは、内部シーケンスの中で並べ替えられる。同じ種類のビットのシーケンスは、入れ替え可能である。
【００６５】
ビットは、前述の並べ替えシーケンスの中でｐｏｌａｒ符号信頼性の昇順で低信頼性位置にマッピングされる。
【００６６】
例１．３：ｐｏｌａｒ符号信頼性の昇順で、４つの分類された種類のビットを含むビットの並べ替えのシーケンスは、第１種類ビット、第２種類ビット、第３種類ビット、第４種類ビット、ＣＲＣビット、であってよい。
【００６７】
各種類のビットの前述の例、及び前述のシーケンスに基づき、一例は、Ｒｅｓｅｒｖｅｄ  ｂｉｔを含む第１種類ビット、ユニバーサル制御チャネル構成情報、時系列情報、及び帯域幅情報を含む第２種類ビット、時系列情報を含む第２種類ビット及び第３種類ビット、ＳＩＢ指示を含む第４種類ビット、ＣＲＣビットである。
【００６８】
ここに記載の例と前述の例との間の相違は、第２種類ビットが第３種類ビットと結合されてよいことにある。言い換えると、分類されたビットセットの中で、第２種類ビット及び第３種類ビットは、１つの種類として分類される。この種類は、結合の後に、第２種類のビットとして分類されてよく、又は第３種類のビットとして分類されてよい。これは、ここでは限定されない。
【００６９】
ビットは、前述の並べ替えシーケンスの中でｐｏｌａｒ符号信頼性の昇順で低信頼性位置にマッピングされる。
【００７０】
例１．４。ｐｏｌａｒ符号信頼性の昇順で、４つの分類された種類のビットを含むビットの並べ替えのシーケンスは、第１種類ビット、第２種類ビット、第３種類ビット、第４種類ビット、ＣＲＣビット、であってよい。
【００７１】
各種類のビットの前述の例、及び前述のシーケンスに基づき、一例は、Ｒｅｓｅｒｖｅｄ  ｂｉｔを含む第１種類ビット、ユニバーサル制御チャネル構成情報、帯域幅情報、及び時系列情報を含む第２種類ビット及び第３種類ビット、ＳＩＢ指示を含む第４種類ビット、ＣＲＣである。
【００７２】
ここに記載の例と前述の例１．３との間の相違は、第２種類ビットが第３種類ビットと結合されてよく、結合の後のビットセットが異なる種類のビットを含むことにある。
【００７３】
ビットは、前述の並べ替えシーケンスの中でｐｏｌａｒ符号信頼性の昇順で低信頼性位置にマッピングされる。
【００７４】
例１．５。ｐｏｌａｒ符号信頼性の昇順で、４つの分類された種類のビットを含むビットの並べ替えのシーケンスは、第１種類ビット、第２種類ビット、第３種類ビット、ＣＲＣ、であってよい。
【００７５】
各種類のビットの前述の例、及び前述のシーケンスに基づき、一例は、Ｒｅｓｅｒｖｅｄ  ｂｉｔを含む第１種類ビット、ユニバーサル制御チャネル構成情報及び帯域幅情報を含む第２種類ビット、時系列情報を含む第３種類ビット、ＣＲＣである。
【００７６】
ここに記載の例と前述の例との間の相違は、ＰＢＣＨのｐａｙｌｏａｄに含まれるビットセットが前述の４種類のビットの任意の結合であってよいことにある。例えば、ＰＢＣＨのｐａｙｌｏａｄは、前述の分類された第１種類ビット、第２種類ビット、第３種類ビットを含む。もちろん、これは、ここでは限定されない。ＰＢＣＨのｐａｙｌｏａｄは、代替として、例えば例１．６における分類された第１種類ビット、第３種類ビット、及び第４種類ビットのみを含んでよい。
【００７７】
ビットは、前述の並べ替えシーケンスの中でｐｏｌａｒ符号信頼性の昇順で低信頼性位置にマッピングされる。
【００７８】
例１．６。ｐｏｌａｒ符号信頼性の昇順で、４つの分類された種類のビットを含むビットの並べ替えのシーケンスは、第１種類ビット、第３種類ビット、第４種類ビット、ＣＲＣ、であってよい。
【００７９】
各種類のビットの前述の例、及び前述のシーケンスに基づき、一例は、Ｒｅｓｅｒｖｅｄ  ｂｉｔを含む第１種類ビット、時系列情報を含む第３種類ビット、ＳＩＢ指示を含む第４種類ビット、ＣＲＣである。
【００８０】
ここに記載の例と前述の例との間の相違は、ＰＢＣＨのｐａｙｌｏａｄに含まれるビットセットが前述の４種類のビットの任意の結合であってよいことにある。例えば、ＰＢＣＨのｐａｙｌｏａｄは、前述の分類された第１種類ビット、第３種類ビット、及び第４種類ビットを含む。ＰＢＣＨのｐａｙｌｏａｄは、代替として、例えば例１．７における分類された第１種類ビット及び第３種類ビットを含んでよい。
【００８１】
例１．７。ｐｏｌａｒ符号信頼性の昇順で、４つの分類された種類のビットを含むビットの並べ替えのシーケンスは、第１種類ビット、第３種類ビット、ＣＲＣ、であってよい。
【００８２】
各種類のビットの前述の例、及び前述のシーケンスに基づき、一例は、Ｒｅｓｅｒｖｅｄ  ｂｉｔを含む第１種類ビット、時系列情報を含む第３種類ビット、ＣＲＣである。
【００８３】
例１．８。ｐｏｌａｒ符号信頼性の昇順で、４つの分類された種類のビットを含むビットの並べ替えのシーケンスは、第１種類ビット、第２種類ビット、ＣＲＣ、であってよい。
【００８４】
各種類のビットの前述の例、及び前述のシーケンスに基づき、一例は、Ｒｅｓｅｒｖｅｄ  ｂｉｔを含む第１種類ビット、帯域幅情報を含む第２種類ビット、ＣＲＣである。
【００８５】
分類された種類のビットの前述の複数の結合は、自由に選択されてよい。これは、ここでは限定されない。全体で、前述の分類及び並べ替えルールに従う。
【００８６】
前述のマッピング方法は、符号化されるべき情報のインターリービングを導入することにより実施されてよい。例えば。
【００８７】
符号長が５１２であるｐｏｌａｒ符号では、ＭＩＢ及びＣＲＣビットの合計長は７２である。したがって、ｐｏｌａｒ符号の中の７２個の最高信頼性サブチャネルは、情報ビットシーケンスとして選択され、７２個のサブチャネルのシーケンス番号は、信頼性の昇順で以下のように並べ替えられる：
［４８４；４３０；４８８；２３９；３７８；４５９；４３７；３８０；４６１；４９６；３５１；４６７；４３８；２５１；４６２；４４２；４４１；４６９；２４７；３６７；２５３；３７５；４４４；４７０；４８３；４１５；４８５；４７３；４７４；２５４；３７９；４３１；４８９；４８６；４７６；４３９；４９０；４６３；３８１；４９７；４９２；４４３；３８２；４９８；４４５；４７１；５００；４４６；４７５；４８７；５０４；２５５；４７７；４９１；４７８；３８３；４９３；４９９；５０２；４９４；５０１；４４７；５０５；５０６；４７９；５０８；４９５；５０３；５０７；５０９；５１０；５１１］。
【００８８】
巡回冗長検査（Cyclic  Redundancy  Check,  CRC）がＭＩＢに対して実行された後に取得される結果は、ａ０，ａ１，．．．，ａ９，ａ１０，．．．，ａ１４，ａ１５，．．．，ａ２９，ａ３０，．．．，ａ３９，ａ４８，．．．，ａ７１であり、以下の表の中の信頼性優先度順で、ｐｏｌａｒサブチャネルの並べ替えのシーケンスから順次取り出される。
【００８９】
以上の説明は、図３Ａを用いて表され得る。前述のマッピング方法に基づき、本願は、更に、別のマッピング方法、例えばＤ−ＣＲＣが存在する場合、を提供する。
【００９０】
Ｄ−ＣＲＣが存在するとき、個別的なＣＲＣビットは幾つかのサブチャネル位置を占有する。この場合、第１種類ビットから第４種類ビットまで、個別的なＣＲＣビットの位置が最初に考慮される。ｐｏｌａｒ符号の情報ｂｉｔセットでは、ＣＲＣビットにより占有されるサブチャネルが除外され、残りのサブチャネルが信頼性の昇順で並べ替えられ、マッピングにおけるＣＲＣビットは除外され、残りのビットは前述の実施形態における方法の中の前述の４種類に基づき分類され、次に、前述の実施形態における分類されたビット種類に基づく分類の結果が情報ｂｉｔセットにマッピングされる。
【００９１】
さらに、例えば、個別的なＣＲＣビットにより占有されるｐｏｌａｒ符号サブチャネルを除外することにより、ＭＩＢのシーケンスの幾つかの可能な並べ替えは、以下の通りである。
【００９２】
例を用いて以下に記載される、ｐｏｌａｒ符号信頼性の昇順の、前述の４つの分類された種類の情報ビットの並べ替えの可能なシーケンスは、以下のうちの１つ以上を含み得るが、これに限定されない。
【００９３】
例２．１。ｐｏｌａｒ符号信頼性の昇順で、４つの分類された種類のビットを含むビットの並べ替えのシーケンスは、第１種類ビット、第２種類ビット、第３種類ビット、第４種類ビット、であってよい。
【００９４】
各種類のビットの前述の例、及び前述のシーケンスに基づき、一例は、Ｒｅｓｅｒｖｅｄ  ｂｉｔを含む第１種類ビット、帯域幅情報及びユニバーサル制御チャネル構成情報を含む第２種類ビット、時系列情報を含む第３種類ビット、ＳＩＢ指示を含む第４種類ビットである。
【００９５】
ビットは、前述の並べ替えシーケンスの中でｐｏｌａｒ符号信頼性の昇順でＣＲＣの位置を除く低信頼性位置にマッピングされる。
【００９６】
例２．２。ｐｏｌａｒ符号信頼性の昇順で、４つの分類された種類のビットを含むビットの並べ替えのシーケンスは、第１種類ビット、第２種類ビット、第３種類ビット、第４種類ビット、であってよい。
【００９７】
各種類のビットの前述の例、及び前述のシーケンスに基づき、一例は、Ｒｅｓｅｒｖｅｄ  ｂｉｔを含む第１種類ビット、ユニバーサル制御チャネル構成情報及び帯域幅情報を含む第２種類ビット、時系列情報を含む第３種類ビット、ＳＩＢを含む第４種類ビットである。
【００９８】
ビットは、前述の並べ替えシーケンスの中でｐｏｌａｒ符号信頼性の昇順でＣＲＣの位置を除く低信頼性位置にマッピングされる。
【００９９】
例２．３。ｐｏｌａｒ符号信頼性の昇順で、４つの分類された種類のビットを含むビットの並べ替えのシーケンスは、第１種類ビット、第２種類ビット、第３種類ビット、第４種類ビット、であってよい。
【０１００】
各種類のビットの前述の例、及び前述のシーケンスに基づき、一例は、Ｒｅｓｅｒｖｅｄ  ｂｉｔを含む第１種類ビット、ユニバーサル制御チャネル構成情報、時系列情報、及び帯域幅情報を含む第２種類ビット及び第３種類ビットが結合された後に取得されたビット、ＳＩＢ指示を含む第４種類ビットである。
【０１０１】
ビットは、前述の並べ替えシーケンスの中でｐｏｌａｒ符号信頼性の昇順でＣＲＣの位置を除く低信頼性位置にマッピングされる。
【０１０２】
前述の実施形態におけるＳＩＢは、ＳＩＢ情報であってよく、又はＳＩＢリソース指示情報であってよい。
【０１０３】
例２．４。ｐｏｌａｒ符号信頼性の昇順で、４つの分類された種類のビットを含むビットの並べ替えのシーケンスは、第１種類ビット、第２種類ビット、第３種類ビット、第４種類ビット、であってよい。
【０１０４】
各種類のビットの前述の例、及び前述のシーケンスに基づき、一例は、Ｒｅｓｅｒｖｅｄ  ｂｉｔを含む第１種類ビット、ユニバーサル制御チャネル構成情報、帯域幅情報、及び時系列情報を含む第２種類ビット及び第３種類ビットが結合された後に取得されたビット、ＳＩＢを含む第４種類ビットである。
【０１０５】
ビットは、前述の並べ替えシーケンスの中でｐｏｌａｒ符号信頼性の昇順でＣＲＣの位置を除く低信頼性位置にマッピングされる。
【０１０６】
例２．５。ｐｏｌａｒ符号信頼性の昇順で、４つの分類された種類のビットを含むビットの並べ替えのシーケンスは、第１種類ビット、第２種類ビット、第３種類ビット、であってよい。
【０１０７】
各種類のビットの前述の例、及び前述のシーケンスに基づき、一例は、Ｒｅｓｅｒｖｅｄ  ｂｉｔを含む第１種類ビット、ユニバーサル制御チャネル構成情報及び帯域幅情報を含む第２種類ビット、時系列情報を含む第３種類ビットである。
【０１０８】
以上は、代替として、第１種類ビット、第３種類ビット、及び第４種類ビットを含んでよく、ここで、シーケンスは、Ｒｅｓｅｒｖｅｄ  ｂｉｔを含む第１種類ビット、時系列情報を含む第３種類ビット、ＳＩＢを含む第４種類ビットであり、又は、第１種類ビット及び第３種類ビットを含んでよく、ここで、対応するシーケンスは、Ｒｅｓｅｒｖｅｄ  ｂｉｔを含む第１種類ビット及び時系列情報を含む第３種類ビットであり、又は、第１種類ビット及び第２種類ビットを含み、ここで、対応するシーケンスは、Ｒｅｓｅｒｖｅｄ  ｂｉｔを含む第１種類ビット及び帯域幅情報を含む第２種類ビットである。
【０１０９】
ビットは、前述の並べ替えシーケンスの中でｐｏｌａｒ符号信頼性の昇順でＣＲＣの位置を除く低信頼性位置にマッピングされる。
【０１１０】
ＣＲＣの位置の配置は、前述の基準に厳格に従わない。
【０１１１】
符号長が５１２であるｐｏｌａｒ符号では、ＭＩＢ及びＣＲＣの合計長は７２である。したがって、ｐｏｌａｒ符号の中の７２個の最高信頼性サブチャネルは、情報ビットｉｎｆｏｒｍａｔｉｏｎ  ｂｉｔセットとして選択される。信頼性の昇順での７２個のサブチャネルのシーケンス番号の並べ替えは、先に記載したのと同じである。
【０１１２】
７２個の情報ｂｉｔは、ＣＲＣの２４ビットを含み、ＣＲＣを用いて生成されたＤ−ＣＲＣのインターリーバは以下の通りである。
［１，３，６，９，１２，１４，１６，１８，１９，２１，２３，２６，２７，２８，３０，３１，３４，３５，３７，４０，４２，４６，４７，４８，０，２，４，７，１０，１３，１５，１７，２０，２２，２４，２９，３２，３６，３８，４１，４３，４９，５，８，１１，２５，３３，３９，４４，５０，４５，５１，５２，５３，５４，５５，５６，５７，５８，５９，６０，６１，６２，６３，６４，６５，６６，６７，６８，６９，７０，７１]。
【０１１３】
ＭＩＢ部分の長さは７２−２４＝４８であるので、Ｄ−ＣＲＣインターリービングの後に取得されたＣＲＣビットは、前述のシーケンスの中で４８より大きいシーケンス番号の位置に配置される。
【０１１４】
Ｄ−ＣＲＣインターリービングパターンとｐｏｌａｒ符号の情報ビットセットとの結合に基づき、ｐｏｌａｒ符号内のＤ−ＣＲＣ情報を配置する位置は、以下のように得られる。
［４４３，４７８，４８９，４９１，４９２，４９３，４９４，４９５，４９６，４９７，４９８，４９９，５００，５０１，５０２，５０３，５０４，５０５，５０６，５０７，５０８，５０９，５１０，５１１］。
【０１１５】
Ｄ−ＣＲＣを配置するビットは、ｐｏｌａｒ符号の情報ビットセットから除去される。信頼性の昇順で残りの部分の並べ替えシーケンスは、以下である。
［４８４，４３０，４８８，２３９，３７８，４５９，４３７，３８０，４６１，３５１，４６７，４３８，２５１，４６２，４４２，４４１，４６９，２４７，３６７，２５３，３７５，４４４，４７０，４８３，４１５，４８５，４７３，４７４，２５４，３７９，４３１，４８６，４７６，４３９，４９０，４６３，３８１，３８２，４４５，４７１，４４６，４７５，４８７，２５５，４７７，３８３，４４７，４７９]。以上の詳細な説明は、図３Ｂを用いて表され得る。
【０１１６】
本願は、更に実施形態を提供する。前述の第１実施形態及び第２実施形態に基づき、個別的なＣＲＣビット及び他のＣＲＣビットは、具体的に並べ替えられる。個別的なＣＲＣビットは、前述の第２実施形態の方法で並べ替えられ、次に、他のＣＲＣビットは第１実施形態の方法で並べ替えられる。詳細はここで再び記載されない。別の例では、巡回冗長検査（Cyclic  Redundancy  Check,  CRC）がブロードキャストシグナリング（ＰＢＣＨチャネル上で運ばれるシグナリング）に対して実行された後に得られた結果が、ａ０，ａ１，．．．，ａ１３，ａ１４，．．．，ａ２３，ａ２４，．．．，ａ３９，であり、ここで、ａ１４，．．．，ａ２３は予約ビットであり（１０ビット）、ａ２４，．．．，ａ３９は検査ビットに対応する（及びマスクを含んでよい）と仮定する。ｐｏｌａｒ符号の中の１０個の低信頼性情報ビットは、｛７９，１０６，５５，１０５，９２，１０２，９０，１０１，４７，８９｝であると仮定する。この場合、１０個の予約ビットが１０個の低信頼性情報ビットにマッピングされるとき、ｕ（７９）＝ａ１４，ｕ（１０６）＝ａ１５，ｕ（５５）＝ａ１６，ｕ（１０５）＝ａ１７，ｕ（９２）＝ａ１８，ｕ（１０２）＝ａ１９，ｕ（９０）＝ａ２０，ｕ（１０１）＝ａ２１，ｕ（４７）＝ａ２２，及びｕ（８９）＝ａ２３は、予約ビットを情報ビットにマッピングするプロセスを更に達成するために、インターリーバを用いて取得されてよい。同様に、ブロードキャストシグナリングの残りのビットをｐｏｌａｒ符号の中の残りの情報ビットにマッピングするために、前述の方法を参照する。繰り返しを避けるため、詳細はここで再び記載されない。
【０１１７】
３０３。極性符号（ｐｏｌａｒ符号）符号化をマッピングされたビットに対して実行して、符号化された符号化ビットを取得する。
【０１１８】
３０４。符号化ビットを送信する。
【０１１９】
例えば、無線通信装置がＰＢＣＨ（Physical  Broadcast  Channel,  PBCH）チャネルを用いてブロードキャストシグナリングを送信する準備が整うと、ｐｏｌａｒ符号化が先ずブロードキャストシグナリングに対して実行されてよい。ｐｏｌａｒ符号の符号化出力は、式（１）により表され得る。
ｘ１Ｎ＝ｕ１ＮＧＮ．    （１）
ここで、ｕ１Ｎ＝｛ｕ１，ｕ２，．．．，ｕＮ｝は長さがＮのバイナリ行ベクトルであり、ＧＮ．はＮ＊Ｎ行列であり、
【数１】
2020534746.tif 000003
、Ｎは符号化された符号化ビットの長さであり、ｎ≧０、
【数２】
2020534746.tif 000004
、ＢＮは転置行列であり、
【数３】
2020534746.tif 000005
はクロネッカー積（Kronecker  power）であり、次式のように定められる。
【数４】
2020534746.tif 000006
【０１２０】
ｐｏｌａｒ符号の符号化処理では、ｕ１Ｎの中の幾つかのビットは、情報（つまり、受信端へ送信される必要ある情報）を伝達するために使用される。これらのビットは、情報ビットと呼ばれる。これらのビットのセットはＡとして示される。残りのビットは、ｆｒｏｚｅｎビットと呼ばれ、固定値を有し、例えば通常は０に設定されてよい。
【０１２１】
本発明の本実施形態における方法によると、Ｍ個の予測可能情報ビットは、それぞれ、ｐｏｌａｒ符号のＫ個の情報ビットの中のＭ個の低信頼性情報ビットにマッピングされ、Ｄ個の巡回冗長検査ＣＲＣビットは、Ｋ個の情報ビットの残りの情報ビットの中のＤ個の高信頼性情報ビットにマッピングされて、マッピングされたビットを得る。次に、符号化されたｐｏｌａｒ符号は、式（１）に示される符号化処理に基づき取得されてよい。言い換えると、符号化された符号化ビットが取得される。
【０１２２】
ｐｏｌａｒ符号エンコーダを用いて符号化処理が実行された後に出力された、符号化されたｐｏｌａｒ符号は、ｘ１Ｎ＝ｕＡＧＮ．（Ａ）のように簡略化され得る。ここで、ｕＡはｕ１Ｎの中の情報ビットセットであり、ｕＡは長さがＫの行ベクトルであり、Ｋは情報ビットの個数であり、ＧＮ．（Ａ）はＧＮ．の中のセットＡの中のインデックスに対応する行を用いて取得されたサブ行列であり、ＧＮ．（Ａ）はＫ＊Ｎの行列である。
【０１２３】
前述の技術的ソリューションに基づき、ブロードキャストシグナリングの送信中に、先ず、ｐｏｌａｒ符号の中の情報ビットの信頼性値に基づきマッピングが実行され、次にｐｏｌａｒ符号化がマッピングされたビットに対して実行される。この場合、ブロードキャストシグナリングの中の有用なビットが、低信頼性情報ビットにマッピングされることを防ぐことができ、それにより、ブロードキャストシグナリング送信の信頼性を向上する。
【０１２４】
任意で、一実施形態では、Ｍ個の低信頼性情報ビットは、予め設定された閾より低い信頼性のＭ個の情報ビットを含む、又はＭ個の低信頼性情報ビットは、Ｋ個の情報ビットの中のＭ個の最低信頼性情報ビットを含む。
【０１２５】
任意で、別の実施形態では、ブロードキャストシグナリングのＭ個の予約ビットが、それぞれ、ｐｏｌａｒ符号のＫ個の情報ビットの中のＭ個の低信頼性情報ビットにマッピングされる前に、Ｋ個の情報ビットは、先ず、Ｋ個の情報ビットの信頼性値に基づき並べ替えられてよい。この場合、ブロードキャストシグナリングのＭ個の予約ビットが、それぞれ、ｐｏｌａｒ符号のＫ個の情報ビットの中のＭ個の低信頼性情報ビットにマッピングされるとき、Ｍ個の予約ビットは、それぞれ、並べ替え結果に基づき、Ｋ個の情報ビットの中のＭ個の低信頼性情報ビットにマッピングされてよい。
【０１２６】
例えば、極性符号の符号長が１２８ビットである一例を用いて説明が行われる。極性符号は４０個の情報ビットを含む。４０個の情報ビットは、信頼性の降順で並べ替えられて、以下のように並べ替えられたインデックスを得る。
｛１２７，１２６，１２５，２３，１１９，１１１，９５，１２４，１２２，６３，１２１，１１８，１１７，１１５，１１０，１０９，１０７，９４，９３，１０３，９１，６２，１２０，８７，６１，１１６，１１４，５９，１０８，１１３，７９，１０６，５５，１０５，９２，１０２，９０，１０１，４７，８９｝。
【０１２７】
ブロードキャストシグナリングの長さが４０ビットであると仮定する。４０個のビットは１０個の予約ビットを含む。この場合、１０個の予約ビットは、それぞれ、｛７９，１０６，５５，１０５，９２，１０２，９０，１０１，４７，８９｝に対応する情報ビットにマッピングされるべきである。ブロードキャストシグナリングの残りのビットは、前述の１０個のビット以外の情報ビットにマッピングされる。
【０１２８】
任意で、別の実施形態では、情報ビットの信頼性値は、ビットキャパシティ、バタチャリア距離Bhattacharyyaパラメータ、又は誤り確率に基づき決定される。
【０１２９】
例えば、ビットキャパシティが情報ビットの信頼性を測定するために使用されるとき、ｐｏｌａｒ符号の中の各情報ビットのビットキャパシティが先ず決定されてよく、ビットキャパシティ値は、情報ビットの信頼性値を表すために使用される。ここで、大きなビットキャパシティを有するビットは高い信頼性を有する。
【０１３０】
代替として、Ｂｈａｔｔａｃｈａｒｙｙａパラメータが情報ビットの信頼性を測定するために使用されるとき、ｐｏｌａｒ符号の中の各情報ビットのＢｈａｔｔａｃｈａｒｙｙａパラメータが決定されてよく、Ｂｈａｔｔａｃｈａｒｙｙａパラメータ値は、情報ビットの信頼性値を表すために使用される。ここで、小さなＢｈａｔｔａｃｈａｒｙｙａパラメータ値を有する情報ビットは高い信頼性を有する。
【０１３１】
図４は、本発明の一実施形態による極性符号化機器の概略ブロック図である。図４の符号化機器４００は、基地局またはアクセス端末（例えば、基地局１０２及びアクセス端末１１６）に位置してよく、マッピングユニット４０１及び符号化ユニット４０２を含む。
【０１３２】
マッピングユニット４０１は、ブロードキャストシグナリングのＭ個の予約ビットを、それぞれ、極性符号のＫ個の情報ビットの中のＭ個の低信頼性情報ビットにマッピングし、ブロードキャストシグナリングの残りのビットを、Ｋ個の情報ビットの残りの情報ビットにマッピングするよう構成され、ここで、Ｍ＜Ｋ、且つＭ及びＫは両方とも正整数である。
【０１３３】
理解されるべきことに、ブロードキャストシグナリングは、ブロードキャストチャネル、例えば物理ブロードキャストチャネル（ＰＢＣＨ）上で伝達されるシグナリングである。ブロードキャストシグナリングは、通常、実際には有用な情報を運ばない幾つかの予約ビットを含む。この場合、ｐｏｌａｒ符号の符号化処理で、予約ビットは低信頼性情報ビットにマッピングされる。予約ビットが送信中に変化した場合でも、ブロードキャストシグナリングの正しい復号は影響されない。
【０１３４】
更に理解されるべきことに、信頼性の測定形式は、本発明の本実施形態に限定されない。例えば、ビットキャパシティ、バタチャリア距離、Ｂｈａｔｔａｃｈａｒｙｙａパラメータ、又は誤り確率、のような既存のｐｏｌａｒ符号信頼性メトリックを参照してよい。
【０１３５】
例えば、巡回冗長検査（Cyclic  Redundancy  Check,  CRC）がブロードキャストシグナリング（ＰＢＣＨチャネル上で運ばれるシグナリング）に対して実行された後に得られた結果が、ａ０，ａ１，．．．，ａ１３，ａ１４，．．．，ａ２３，ａ２４，．．．，ａ３９であると仮定する。ａ１４，．．．，ａ２３は予約ビットであり（１０個のビット）、ａ２４，．．．，ａ３９は検査ビットに対応する（及びマスクを含んでよい）。ｐｏｌａｒ符号の中の１０個の低信頼性情報ビットは、｛７９，１０６，５５，１０５，９２，１０２，９０，１０１，４７，８９｝であると仮定する。この場合、１０個の予約ビットが１０個の低信頼性情報ビットにマッピングされるとき、ｕ（７９）＝ａ１４，ｕ（１０６）＝ａ１５，ｕ（５５）＝ａ１６，ｕ（１０５）＝ａ１７，ｕ（９２）＝ａ１８，ｕ（１０２）＝ａ１９，ｕ（９０）＝ａ２０，ｕ（１０１）＝ａ２１，ｕ（４７）＝ａ２２，及びｕ（８９）＝ａ２３は、予約ビットを情報ビットにマッピングするプロセスを更に達成するために、インターリーバを用いて取得されてよい。同様に、ブロードキャストシグナリングの残りのビットをｐｏｌａｒ符号の中の残りの情報ビットにマッピングするために、前述の方法を参照する。繰り返しを避けるため、詳細はここで再び記載されない。
【０１３６】
符号化ユニット４０２は、マッピングされたビットに対してｐｏｌａｒ符号化を実行して、符号化された符号化ビットを取得するよう構成される。
【０１３７】
ここで、符号化ユニットによりマッピングされたビットに対してｐｏｌａｒ符号化を実行する処理については、前述の実施形態における記載を参照する。繰り返しを避けるため、詳細はここで再び記載されない。
【０１３８】
前述の技術的ソリューションに基づき、ブロードキャストシグナリングの送信中に、先ず、ｐｏｌａｒ符号の中の情報ビットの信頼性値に基づきマッピングが実行され、次にｐｏｌａｒ符号化がマッピングされたビットに対して実行される。この場合、ブロードキャストシグナリングの中の有用なビットが、低信頼性情報ビットにマッピングされることを防ぐことができ、それにより、ブロードキャストシグナリング送信の信頼性を向上する。
【０１３９】
任意で、一実施形態では、Ｍ個の低信頼性情報ビットは、予め設定された閾より低い信頼性のＭ個の情報ビットを含む、又はＭ個の低信頼性情報ビットは、Ｋ個の情報ビットの中のＭ個の最低信頼性情報ビットを含む。
【０１４０】
任意で、別の実施形態では、符号化機器４００は並べ替えユニット４０３を更に含む。
【０１４１】
並べ替えユニット４０３は、Ｋ個の情報ビットの信頼性値に基づき、Ｋ個の情報ビットを並べ替えるよう構成される。
【０１４２】
この場合、符号化ユニット４０２は、具体的に、Ｍ個の予約ビットを、それぞれ、並べ替え結果に基づき、Ｋ個の情報ビットの中のＭ個の低信頼性情報ビットにマッピングするよう構成される。
【０１４３】
例えば、極性符号の符号長が１２８ビットである一例を用いて説明が行われる。極性符号は４０個の情報ビットを含む。４０個の情報ビットは、信頼性の降順で並べ替えられて、以下のように並べ替えられたインデックスを得る。
｛１２７，１２６，１２５，２３，１１９，１１１，９５，１２４，１２２，６３，１２１，１１８，１１７，１１５，１１０，１０９，１０７，９４，９３，１０３，９１，６２，１２０，８７，６１，１１６，１１４，５９，１０８，１１３，７９，１０６，５５，１０５，９２，１０２，９０，１０１，４７，８９｝。
【０１４４】
ブロードキャストシグナリングの長さが４０ビットであると仮定する。４０個のビットは１０個の予約ビットを含む。この場合、１０個の予約ビットは、それぞれ、｛７９，１０６，５５，１０５，９２，１０２，９０，１０１，４７，８９｝に対応する情報ビットにマッピングされるべきである。ブロードキャストシグナリングの残りのビットは、前述の１０個のビット以外の情報ビットにマッピングされる。
【０１４５】
任意で、別の実施形態では、情報ビットの信頼性値は、ビットキャパシティ、バタチャリア距離Ｂｈａｔｔａｃｈａｒｙｙａパラメータ、又は誤り確率に基づき決定される。
【０１４６】
例えば、ビットキャパシティが情報ビットの信頼性を測定するために使用されるとき、ｐｏｌａｒ符号の中の各情報ビットのビットキャパシティが先ず決定されてよく、ビットキャパシティ値は、情報ビットの信頼性値を表すために使用される。ここで、大きなビットキャパシティを有するビットは高い信頼性を有する。
【０１４７】
代替として、Ｂｈａｔｔａｃｈａｒｙｙａパラメータが情報ビットの信頼性を測定するために使用されるとき、ｐｏｌａｒ符号の中の各情報ビットのＢｈａｔｔａｃｈａｒｙｙａパラメータが決定されてよく、Ｂｈａｔｔａｃｈａｒｙｙａパラメータ値は、情報ビットの信頼性値を表すために使用される。ここで、小さなＢｈａｔｔａｃｈａｒｙｙａパラメータ値を有する情報ビットは高い信頼性を有する。
【０１４８】
任意で、別の実施形態では、符号化機器４００はインターリービングユニット４０４及びキャプチャリングユニット４０５を更に含む。インターリービングユニット４０４及びキャプチャリングユニット４０５は、図２に示した無線通信装置２００の中のレートマッチング機器２０５に位置してよい。この場合、レートマッチング機器２０５及び極性符号エンコーダ２０４は、一緒に、極性符号化機器４００を形成する。
【０１４９】
インターリービングユニット４０４は、符号化された符号化ビットに対して並べ替え及び合同インターリービングを実行して、インターリービングされた符号化ビットを取得するよう構成される。
【０１５０】
キャプチャリングユニット４０５は、予め定められた値Ｅに基づき、インターリービングされた符号化ビットの最初のＥ個のビットを循環バッファに入力するよう構成される。
【０１５１】
代替として、キャプチャリングユニット４０５は、インターリービングされた符号化ビットに対して反転処理を実行し、予め定められた値Ｅに基づき、反転処理の後に取得された符号化ビットの最初のＥ個のビットを循環バッファに入力するよう構成される。
【０１５２】
理解されるべきことに、予め定められた値Ｅは、ブロードキャストシグナリングのフレームフォーマットに関連する。このように、本発明の本実施形態は、符号レートを更に向上できる。
【０１５３】
任意で、別の実施形態では、インターリービングユニット４０４は、具体的に、符号化された符号化ビットの長さに基づき、合同シーケンスを取得し、次に、予め定められたルールに従い合同シーケンスに対して並べ替え処理を実行して、基準シーケンスを取得し、合同シーケンス及び基準シーケンスに基づきマッピング関数を決定し、最後に、マッピング関数に従い符号化された符号化ビットに対してインターリービングを実行して、インターリービングされた符号化ビットを取得するよう構成される。
【０１５４】
具体的に、インターリービングユニット４０４が符号化された符号化ビットに対してインターリービングを実行する処理については、前述の実施形態における詳細な説明を参照する。繰り返しを避けるため、詳細はここで再び記載されない。
【０１５５】
任意で、別の実施形態では、インターリービングユニット４０４は、具体的に、以下の式（３）に従い、合同シーケンスを決定するよう構成される。
ｘ（０）＝ｘ０，
ｘ（ｎ＋１）＝［ａ＊ｘ（ｎ）＋ｃ］ｍｏｄ  ｍ，ｎ＝０，１，．．．，（Ｎ−２）    （３）
ここで、Ｎは符号化された符号化ビットの長さであり、ｘ０、ａ、ｃ、及びｍは特定パラメータであり、ｘ（０），ｘ（１），．．．，ｘ（Ｎ−１）は合同シーケンスである。
【０１５６】
理解されるべきことに、Ｎが符号化された符号化ビットの長さであることは、Ｎがｐｏｌａｒ符号の符号長であることを意味する。
【０１５７】
具体的に、Ｑが所与の正整数であると仮定する。２つの整数Ａ及びＢが別々にＱで除算されるとき、得られる余りは同じである。この場合、Ａ及びＢはモジュロＱについて合同であると呼ばれる。式（２）は、線形合同方法を表す。ここで、ｍは除数を表し、ｍ＞０、ａは乗数を表し、ｃは増分を表し、ｘ（０）は開始値を表す。
【０１５８】
任意で、別の実施形態では、ｘ０＝４８３１、ａ＝７５、ｃ＝０、及びｍ＝２３１−１である。
【０１５９】
図５は、無線通信システムにおける、前述のｐｏｌａｒ符号化方法を実行するのを助けるアクセス端末の概略図である。アクセス端末５００は、受信機５０２を含む。受信機５０２は、例えば受信アンテナ（図示しない）から信号を受信し、標準的な動作（例えば、フィルタリング、増幅、又はダウンコンバージョン）を受信した信号に対して実行し、調整された信号をデジタル化してサンプルを取得するよう構成される。受信機５０２は、例えば、最小平均二乗誤差（Minimum  Mean  Square  Error,  MMSE）受信機であってよい。アクセス端末５００は、復調器５０４を更に含んでよい。復調器５０４は、受信したシンボルを復調し、チャネル推定のために該シンボルをプロセッサ５０６に提供するよう構成されてよい。プロセッサ５０６は、受信機５０２により受信された情報を分析し、及び／又は送信機５１６により送信される情報を生成するよう構成された専用プロセッサ、又は、アクセス端末５００の１つ以上のコンポーネントを制御するよう構成されたプロセッサ、及び／又は、受信機５０２により受信された情報を分析し、送信機５１６により送信される情報を生成し、及びアクセス端末５００の１つ以上のコンポーネントを制御するよう構成された制御部、であってよい。
【０１６０】
アクセス端末５００は、メモリ５０８を更に含んでよい。メモリ５０８は、プロセッサ５０６に動作可能に結合され、以下のデータ：送信されるべきデータ、受信したデータ、及び本明細書に記載の種々の動作及び機能の実行に関連する任意の他の適切な情報を格納してよい。メモリ５０８は、ｐｏｌａｒ符号の処理に関連するプロトコル及び／又はアルゴリズムを更に格納してよい。
【０１６１】
ここに記載のデータ記憶機器（例えばメモリ５０８）は揮発性メモリまたは不揮発性メモリであってよく、又は揮発性メモリ及び不揮発性メモリの両方を含んでよいことが理解され得る。例として、限定ではないが、不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリを含んでよい。揮発性メモリは、外部キャッシュとして使用されるランダムアクセスメモリ（Random  Access  Memory,  RAM）を含んでよい。例として、限定ではないが、多くの形式のＲＡＭ、例えば、静的ランダムアクセスメモリ（Static  RAM,  SRAM）、動的ランダムアクセスメモリ（Dynamic  RAM,  DRAM）、同期動的ランダムアクセスメモリ（Synchronous  DRAM,  SDRAM）、ダブルデータレート同期動的ランダムアクセスメモリ（Double  Data  Rate  SDRAM,  DDR  SDRAM）、拡張同期動的ランダムアクセスメモリ（Enhanced  SDRAM,  ESDRAM）、シンクリンク動的ランダムアクセスメモリ（Synchlink  DRAM,  SLDRAM）、及び直接ランバスランダムアクセスメモリ（Direct  Rambus  RAM,  DR  RAM）が使用されてよい。本明細書に記載されたシステム及び方法の中のメモリ５０８は、限定ではないが、これらのメモリ及び適切な種類の任意の他のメモリを含むことを意図する。
【０１６２】
更に、アクセス端末５００は、ｐｏｌａｒ符号エンコーダ５１２及びレートマッチング装置５１０を更に含む。実際の適用では、受信機５０２は、レートマッチング装置５１０に更に結合されてよい。レートマッチング装置５１０は、基本的に、図２のレートマッチング機器２０５と同様であってよい。ｐｏｌａｒ符号エンコーダ５１２は、基本的に、図２のｐｏｌａｒ符号エンコーダ２０４と同様である。
【０１６３】
ｐｏｌａｒ符号エンコーダ５１２は、ブロードキャストシグナリングのペイロードｐａｙｌｏａｄがＤ個の巡回冗長検査ＣＲＣビット及びＭ個の予測可能情報ビットを含むことを決定し、Ｍ個の予測可能情報ビットを、それぞれ、極性コードのＫ個の情報ビットの中のＭ個の低信頼性情報ビットにマッピングし、Ｄ個の巡回冗長検査ＣＲＣビットをＫ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、マッピングされたビットに対して極性符号化を実行して、符号化された符号化ビットを取得する、よう構成されてよい。
【０１６４】
本発明の本実施形態によると、ブロードキャストシグナリングが送信されるとき、先ず、ブロードキャストシグナリングのペイロードｐａｙｌｏａｄがＤ個の巡回冗長検査ＣＲＣビット及びＭ個の予測可能情報ビットを含むことが決定され、Ｍ個の予測可能情報ビットは、それぞれ、極性符号のＫ個の情報ビットの中のＭ個の低信頼性情報ビットにマッピングされ、Ｄ個の巡回冗長検査ＣＲＣビットはＫ個の情報ビットの残りの情報ビットの中のＤ個の高信頼性情報ビットにマッピングされて、マッピングされたビットを取得し、ここで、Ｍ＜Ｋ、且つＤ、Ｍ、及びＫは全て正整数であり、極性符号化がマッピングされたビットに対して実行されて、符号化された符号化ビットを取得する。その結果、ブロードキャストシグナリングの送信の信頼性が向上され得る。
【０１６５】
任意で、一実施形態では、Ｍ個の低信頼性情報ビットは、予め設定された閾より低い信頼性のＭ個の情報ビットを含む、又はＭ個の低信頼性情報ビットは、Ｋ個の情報ビットの中のＭ個の最低信頼性情報ビットを含む。
【０１６６】
任意で、別の実施形態では、Ｍ個の予測可能情報ビットは、以下のビットの組み合わせ：Ｍ１個の第１種類ビット、Ｍ２個の第２種類ビット、又はＭ３個の第３種類ビット、のうちの１つ以上を含み、ここで、第１種類ビットは予約ビットであり、第２種類ビットは値が不変のままである情報ビットを含み、第３種類ビットは値が時系列情報の内容であり変化する予測可能情報ビットであり、Ｍ１、Ｍ２、及びＭ３は全て正整数であり、Ｍ１≦Ｍ、Ｍ２≦Ｍ、及びＭ３≦Ｍである。
【０１６７】
任意で、別の実施形態では、Ｍ個の予測可能情報ビットがＭ１個の第１種類ビット及びＭ２個の第２種類ビットを含む、又はＭ１個の予約ビット及びＭ３個の第２種類ビットを含むとき、Ｍ１個の第１種類ビットは、Ｍ個の情報ビットの中のＭ１個の低信頼性情報ビットにマッピングされる。
【０１６８】
任意で、別の実施形態では、Ｍ２個の第２種類ビットはＭ個の情報ビットの残りの情報ビットの中のＭ２個の低信頼性情報ビットにマッピングされる、又は、Ｍ１個の第１種類ビットはＭ個の情報ビットの中のＭ１個の低信頼性情報ビットにマッピングされる、及びＭ３個の第２種類ビットはＭ個の情報ビットの残りの情報ビットの中のＭ３個の低信頼性情報ビットにマッピングされる。
【０１６９】
任意で、別の実施形態では、ｐｏｌａｒ符号エンコーダ５１２は、具体的に、Ｍ個の予測可能情報ビットがＭ１個の第１種類ビット、Ｍ２個の第２種類ビット、及びＭ３個の第３種類ビットを含むとき、Ｍ１個の第１種類ビットをＭ個の情報ビットの中のＭ１個の低信頼性情報ビットにマッピングするよう構成される。
【０１７０】
任意で、別の実施形態では、ｐｏｌａｒ符号エンコーダ５１２は、具体的に、Ｍ２個の第２種類ビットを（Ｍ−Ｍ１）個の情報ビットの中のＭ２個の低信頼性情報ビットにマッピングし、Ｍ３個の第３種類ビットを（Ｍ−Ｍ１−Ｍ２）個のビットの中のＭ３個の低信頼性情報ビットにマッピングするよう構成される。
【０１７１】
任意で、別の実施形態では、ｐａｙｌｏａｄは、Ｊ個の非予測可能情報ビットを更に含み、ｐｏｌａｒ符号エンコーダ５１２は、具体的に、更に、Ｊ個の非予測可能情報ビットを、（Ｋ−Ｍ−Ｄ）個の情報ビットの中のＪ個の低信頼性情報ビットにマッピングするよう構成され、ここで、Ｊ＜Ｋ、且つＪは正整数である。
【０１７２】
任意で、別の実施形態では、ｐｏｌａｒ符号エンコーダ５１２は、Ｋ個の情報ビットの信頼性値に基づき、Ｋ個の情報ビットを並べ替える。次に、ｐｏｌａｒ符号エンコーダ５１２は、Ｍ個の予約ビットを、それぞれ、並べ替え結果に基づき、Ｋ個の情報ビットの中のＭ個の低信頼性情報ビットにマッピングする。
【０１７３】
任意で、別の実施形態では、情報ビットの信頼性値は、ビットキャパシティ、バタチャリア距離Bhattacharyyaパラメータ、又は誤り確率に基づき決定される。
【０１７４】
図６は、無線通信環境における、前述のｐｏｌａｒ符号化方法を実行するのを助けるシステムの概略図である。システム６００は、基地局６０２（例えば、アクセスポイント、又はＮｏｄｅＢ又はｅＮＢ）を含む。基地局６０２は、１つ以上のアクセス端末６０４から複数の受信アンテナ６０６を用いて信号を受信する受信機６１０、及び１つ以上のアクセス端末６０４へ送信アンテナ６０８を用いて信号を送信する送信機６２４を含む。受信機６１０は、受信アンテナ６０６から情報を受信してよく、受信した情報を復調する復調器６１２に動作可能に関連付けられてよい。図７に記載のプロセッサと同様のプロセッサ６１４は、復調されたシンボルを分析するよう構成される。プロセッサ６１４は、メモリ６１６に接続される。メモリ６１６は、アクセス端末６０４（又は異なる基地局（図示しない））へ送信される必要のあるデータ、又はアクセス端末６０４（又は異なる基地局（図示しない））から受信される必要のあるデータ、及び／又は本明細書に記載の種々の動作及び機能の実行に関連する任意の他の適切な情報を格納するよう構成される。プロセッサ６１４は、ｐｏｌａｒ符号エンコーダ６１８及びレートマッチング機器６２０に更に結合されてよい。
【０１７５】
ｐｏｌａｒ符号エンコーダ６１８は、ブロードキャストシグナリングのペイロードｐａｙｌｏａｄがＤ個の巡回冗長検査ＣＲＣビット及びＭ個の予測可能情報ビットを含むことを決定し、Ｍ個の予測可能情報ビットを、それぞれ、極性符号のＫ個の情報ビットの中のＭ個の低信頼性情報ビットにマッピングし、Ｄ個の巡回冗長検査ＣＲＣビットをＫ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、マッピングされたビットに対して極性符号化を実行して、符号化された符号化ビットを取得する、よう構成されてよい。
【０１７６】
さらに、システム６００では、変調器６２２は、送信アンテナ６０８を用いて送信機６２４によりアクセス端末６０４へ送信するために、フレームを多重化してよい。ｐｏｌａｒ符号エンコーダ６１８、レートマッチング機器６２０、及び／又は変調器６２２は、それらがプロセッサ６１４と分離しているとして示されるが、プロセッサ６１４の一部、又は複数のプロセッサ（図示しない）の一部であってよいことが理解され得る。
【０１７７】
本明細書に記載のこれらの実施形態は、ハードウェア、ソフトウェア、ファームウェア、ミドルウェア、マイクロコード、又はそれらの組み合わせにより実装されてよいことが理解され得る。ハードウェア方式での実装では、処理ユニットは、１つ以上の特定用途向け集積回路（Application  Specific  Integrated  Circuits,  ASIC）、デジタル信号プロセッサ（Digital  Signal  Processor  DSP）、デジタル信号処理装置（DSP  Device,  DSPD）、プログラマブル論理装置（Programmable  Logic  Device,  PLD）、フィールドプログラマブルゲートアレイ（Field-Programmable  Gate  Array,  FPGA）、プロセッサ、制御部、マイクロコントローラ、マイクロプロセッサ、本願における機能を実行するよう構成された別の電子ユニット、又はそれらの組み合わせで実装されてよい。
【０１７８】
実施形態がソフトウェア、ファームウェア、ミドルウェア若しくはマイクロコード、プログラムコード又はコードセグメントにより実装されるとき、ソフトウェア、ファームウェア、ミドルウェア若しくはマイクロコード、プログラムコード又はコードセグメントは、記憶コンポーネントのような機械可読媒体に格納されてよい。コードセグメントは、プロセス、関数、サブブログラム、プログラム、ルーチン、サブルーチン、モジュール、ソフトウェアコンポーネント、クラス、命令、データ構造、又はプログラム文の任意の組み合わせを表してよい。コードセグメントは、情報、データ、独立変数、パラメータ、又はメモリ内容を転送する及び／又は受信することにより、別のコードセグメント又はハードウェア回路に結合されてよい。情報、独立変数、パラメータ、データ、等は、メモリ共有、メッセージ転送、トークン転送、及びネットワーク伝送を含む、任意の適切な方法で転送され、渡され、又は送信されてよい。
【０１７９】
ソフトウェア方式での実装では、本明細書に記載の技術は、本明細書に記載の機能を実行するモジュール（例えば、プロセスまたは関数）を用いて実装されてよい。ソフトウェアコードは、メモリユニットに格納され、プロセッサを用いて実行されてよい。メモリユニットは、プロセッサ内に又はプロセッサの外部に実装されてよい。メモリユニットがプロセッサの外部に実装されるとき、メモリユニットは、従来知られている種々の手段を用いることにより通信方法で、プロセッサに結合されてよい。
【０１８０】
理解されるべきことに、全ての前述の機器の実施形態は、方法の実施形態におけるステップに従い実装されてよい。詳細はここで再び記載されない。
【０１８１】
本発明の実施形態では、前述の処理のシーケンス番号は、実行順序を意味しない。処理の実行順序は、処理の機能及び内部ロジックに従い決定されるべきであり、本発明の実施形態の実装処理に対する限定として考えられるべきではない。
【０１８２】
当業者は、本明細書に開示された実施形態で記載された例と組み合わせて、ユニット及びアルゴリズムステップが電子ハードウェア、コンピュータソフトウェア、又はそれらの組み合わせにより実装されてよいことを認識し得る。ハードウェアとソフトウェアとの間の互換牲を明確に説明するために、以上は、概して、機能に従い各例の構成及びステップを説明した。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本発明の範囲を超えると考えられるべきではない。
【０１８３】
便宜上及び簡潔な説明を目的として、前述のシステム、機器、及びユニットの詳細な作動プロセスについては、前述の方法の実施形態における対応するプロセスが参照されてよく、詳細はここで再び記載されないことが、当業者により明確に理解され得る。
【０１８４】
本願において提供された幾つかの実施形態では、理解されるべきことに、開示のシステム、機器、及び方法は他の方法で実装されてよい。例えば、記載の機器の実施形態は単なる例である。例えば、ユニット分割は、単なる論理的機能分割であり、実際の実装では他の分割であってよい。例えば、複数のユニット又はコンポーネントは、結合され又は別のシステムに統合されてよく、或いは、幾つかの機能は、無視され又は実行されなくてよい。さらに、示された又は議論された相互結合又は直接結合又は通信接続は、幾つかのインタフェース、間接結合、又は機器若しくはユニット間の通信接続、又は電気的接続、機械的接続、又は他の形式の接続を通じて実装されてよい。
【０１８５】
別個の部分として記載されたユニットは、物理的に分離していてよく又はそうでなくてよい。ユニットとして示された部分は、物理的ユニットであってよく又はそうでなくてよく、つまり、１つの場所に置かれてよく、又は複数のネットワークユニットに分散されてよい。ユニットのうちの一部又は全部は、本発明の実施形態のソリューションの目的を達成するために、実際の必要に従い選択されてよい。
【０１８６】
さらに、本発明の実施形態における機能ユニットは、１つの処理ユニットに統合されてよく、又は、ユニットの各々は物理的に単独で存在してよく、又は、２つ以上のユニットが１つのユニットに統合される。統合されたユニットは、ハードウェアの形式で実装されてよく、又はソフトウェア機能ユニットの形式で実装されてよい。
【０１８７】
統合されたユニットがソフトウェア機能ユニットの形式で実装され、独立した製品として販売され又は使用されるとき、統合されたユニットは、コンピュータ可読記憶媒体に格納されてよい。このような理解に基づき、基本的に本発明の技術的ソリューション、又は従来技術に貢献する部分、又は技術的ソリューションの全部又は一部は、ソフトウェアプロダクトの形式で実装されてよい。ソフトウェアプロダクトは、記憶媒体に格納され、本発明の実施形態で記載された方法のステップのうちの全部又は一部を実行するようコンピュータ装置（これは、パーソナルコンピュータ、サーバ、ネットワーク装置、等であってよい）に指示するための幾つかの命令を含む。前述の記憶媒体は、プログラムコードを格納できる、ＵＳＢフラッシュドライブ、取り外し可能ハードディスク、読み出し専用メモリ（ROM,  Read-Only  Memory）、ランダムアクセスメモリ（RAM,  Random  Access  Memory）、磁気ディスク、又は光ディスクのような、任意の記憶媒体を含む。
【０１８８】
前述の説明は、単に本発明の特定の実装であり、本発明の保護範囲を限定することを意図しない。本発明で開示された技術的範囲の範囲内にある、当業者により直ちに考案される任意の変形又は置換は、本発明の保護範囲の中に包含されるべきである。したがって、本発明の保護範囲は、特許請求の範囲の保護範囲に従うべきである。
【０１８９】
図２に基づき、一実施形態では、極性符号エンコーダ２０４は、ブロードキャストシグナリングのペイロードｐａｙｌｏａｄがＤ個の巡回冗長検査ＣＲＣビット及びＭ個の予測可能情報ビットを含むことを決定し、Ｍ個の予測可能情報ビットを、それぞれ、極性コードのＫ個の情報ビットに対応するサブチャネルの中のＭ個の低信頼性サブチャネルにマッピングし、Ｄ個の巡回冗長検査ＣＲＣビットをＫ個の情報ビットの残りの情報ビットに対応するサブチャネルの中のＤ個の高信頼性サブチャネルにマッピングして、マッピングされたビットを取得し、ここでＭは（Ｋ−Ｄ）以下であり、Ｄ、Ｍ、及びＫは全て正整数であり、マッピングされたビットに対して極性符号化を実行して、符号化ビットを取得するよう構成される。
【０１９０】
さらに、送信機２０６は、続いて、チャネル上で、レートマッチング機器２０５により処理された、ビットを転送してよい。例えば、送信機２０６は、別の異なる無線通信機器（図示しない）へ関連するデータを送信してよい。
【０１９１】
極性符号のＫ個の情報ビットに対応するサブチャネルの中の前述のＭ個の低信頼性サブチャネルは、前述の実施形態における極性符号のＫ個の情報ビットの中のＭ個の低信頼性情報ビットの説明と一致する。情報ビットと該情報ビットに対応するサブチャネルとの間の関係をより明確に説明するために、前述の実施形態における極性符号のＫ個の情報ビットの中のＭ個の低信頼性情報ビットは、更に以下のように説明され得る。Ｋ個のサブチャネルが極性符号のサブチャネルから選択され、Ｋ個の情報ビットが選択されたＫ個のサブチャネルにマッピングされ、次にＭ個の低信頼性サブチャネルがＫ個のサブチャネルから選択され、Ｍ個の情報ビットが選択されたＭ個のサブチャネルにマッピングされる。
【０１９２】
前述の極性符号エンコーダが処理を実行する特定のプロセスは、更に以下に詳細に記載される。
【０１９３】
前述の実施形態では、ＰＢＣＨのｐａｙｌｏａｄは、アクセスサービスの内容が可変か否かに依存して、４種類に分類される。ここで、前述の４種類のビットに加えて、ビット種類の変化する異なるシナリオに依存して、第５種類ビットが追加される。第５種類ビットは、異なるシナリオで異なるビット種類のビットを含む。例えば、第３種類ビットとして分類される１つ以上のビットは、第１シナリオでは特定種類の内容を運び、第１シナリオで運ばれる内容に基づき、第２種類ビットとして分類されてよい。これらのビットは、第２シナリオでは別の種類の内容を運び、第２シナリオで運ばれる内容に基づき第３種類ビットとして分類されてよい。言い換えると、異なるシナリオで異なる内容を運び異なる種類に属するこれらのビットは、第５種類ビットとして分類される。
【０１９４】
第５種類ビットの場合は、異なるシナリオに基づき以下に詳細に記載される。
【０１９５】
（１）幾つかのビットが、異なるシナリオで、異なる内容を運び、異なる種類に属する。特定種類のビットは、第１シナリオである種類の内容を運び、第２シナリオで別の種類の内容を運ぶ。幾つかのビットは、第１シナリオで特定種類の内容を運び、第２シナリオで別の種類の内容を運ぶ。言い換えると、異なるシナリオで異なる内容を運び異なる種類に属するこれらのビットは、第５種類ビットとして分類されてよい。
【０１９６】
例えば、第３種類ビットの中で、低周波数アプリケーションシナリオでは、時系列を表す幾つかのビット（例えば、同期ブロックインデックス（synchronization  block  index,  SSBI））は、度々変化する構成を示してよい。この場合、これらのビットは第４種類ビットとして分類されてよい。時系列を表すこれらのビットは、高周波数シナリオで時系列を表すためにも使用される。これらのビットが時系列を表すために使用されるとき、これらのビットは第３種類ビットとして分類される。つまり、１つ以上のビットが、高周波数シナリオで第３種類ビットとして分類され、更に低周波数シナリオで第４種類ビットとして分類されてよい。言い換えると、異なるシナリオで異なる内容を運び異なる種類に属するこれらのビットは、第５種類ビットとして分類される。
【０１９７】
（２）幾つかのビットが、異なるシナリオで同じ内容を運ぶ。しかしながら、同じ内容を運ぶこれらのビットは、異なるシナリオで、異なる種類に属する。
【０１９８】
１つ以上のビットは、幾つかのシナリオで第１種類ビットであり、他の適用シナリオでは第２種類ビットまたは第４種類ビットである。しかしながら、このようなビットは同じ内容を運ぶ。例えば、幾つかのシステム構成情報は、同じセル内で動作している間、第４種類に属してよい。セルハンドオーバの間、このような構成情報は、別の方法で予め通知される。したがって、構成情報は復号の前に分かり、第１種類ビットとして分類されてよい。
【０１９９】
別の例では、パイロット密度制御シグナリングは、広帯域アプリケーションでは第４種類ビットに属し、狭帯域シナリオでは第２種類ビットに属する。１つ以上のビットが第５種類ビットとして分類される。
【０２００】
（３）更に、異なるシナリオで異なる内容を運ぶこのようなビットの特定の場合がある。１つ以上のビットは、第１シナリオではある種類の内容を運ぶが、これらのビットは、第２シナリオでは内容を運ばない。言い換えると、異なるシナリオでは、ビットは内容を運んでよく又はそうでなくてよい。
【０２０１】
例えば、第３種類ビットの中で、高周波数シナリオで同期ブロックインデックスＳＳＢＩを示すために使用されるビットは、低周波数シナリオでは情報を運ばず、１つ以上のビットが第５種類ビットとして分類されてよい。
【０２０２】
別の例では、幾つかの帯域幅構成指示シグナリングは、第４種類ビットに属し、高周波数シナリオでのみ存在する。このようなシグナリングを運ぶために使用されるビットは、低周波数シナリオでは情報を運ばない。この場合、１つ以上のビットは第５種類ビットとして分類されてよい。
【０２０３】
以下は、第５種類ビットが極性符号の対応するサブチャネルにどのようにマッピングされるかを更に詳細に説明する。
【０２０４】
概して、Ｍ個の予測可能情報ビットは、Ｍ５個の第５種類ビットを含み、Ｍ５個の第５種類ビットをＭ個の情報ビットの中のＭ個の低信頼性情報ビットにマッピングするステップは、具体的に、Ｍ５個の第５種類ビットを以下の１つ以上のサブチャネルの組み合わせにマッピングするステップを含み、ここで、１つ以上のサブチャネルの組み合わせは、（Ｍ１+Ｍ５）個の第１種類ビットに対応するサブチャネルの中のＭ５個のサブチャネル、（Ｍ２+Ｍ５）個の第２種類ビットに対応するサブチャネルの中のＭ５個のサブチャネル、（Ｍ３+Ｍ５）個の第３種類ビットに対応するサブチャネルの中のＭ５個のサブチャネル、（Ｍ４+Ｍ５）個の第４種類ビットに対応するサブチャネルの中のＭ５個のサブチャネル、又はＭ２個の第２種類ビットに対応するＭ２個のサブチャネルとＭ３個の第３種類ビットに対応するＭ３個のサブチャネルとの間のＭ５個のサブチャネル、を含む。
【０２０５】
概して、異なる適用シナリオに依存して、第５種類ビットは、第５種類ビットにより運ばれる内容に基づきマッピングされる。１つ以上のビットで運ばれる内容が第１種類ビットから第４種類ビットのうちのいずれか１つに属する場合、マッピングは、ビット種類のビットマッピング方法に基づき実行される。システム設定、例えば異なるシナリオの優先度に基づく設定のような特別な設定が存在しない限り、更なる処理が実際の要件に従い実行される。
【０２０６】
以下は、第５種類ビットが分類される異なる方法に基づく前述のマッピング処理を更に説明する。
【０２０７】
（１）第５種類ビットについて、第５種類ビットが以下の場合：第１シナリオである種類の内容を運び、第２シナリオで別の種類の内容を運ぶ、に属する場合、ビットは、第１シナリオである種類の内容を運び、ビットは第２シナリオで別の種類の内容を運ぶ。ビットは、異なるシナリオで、異なる内容を運び、異なる種類に属する。
【０２０８】
第５種類ビットは、適用シナリオにおける１つ以上のビットの重要性又は優先度に基づき、マッピングされてよい。
【０２０９】
例えば、第３種類ビットは、例えば高周波数シナリオでＳＳＢＩを示すために使用される１つ以上のビットである。つまり、高周波数シナリオでは、１つ以上のビットは第３種類ビットとして分類される。低周波数シナリオでは、１つ以上のビットは、度々変化する構成を示してよい。つまり、１つ以上のビットは、低周波数シナリオでは第４種類ビットとして分類されてよい。概して、１つ以上のビットが、前述の特性のために、第５種類ビットとして分類される。このようなビットが極性符号のサブチャネルにマッピングされるとき、高周波数シナリオで、ビットは第３種類ビットの内容を運び、１つ以上のビットは第３種類ビットに対応するサブチャネルの位置にマッピングされる。或いは、低周波数シナリオで、１つ以上のビットは、第４種類ビットに対応するサブチャネルの位置にマッピングされる。
【０２１０】
さらに、これらのビットが低周波数帯においてアイドルである、又はこれらのビットの値が直接取得できる場合、１つ以上のビットは第１種類ビットとして分類されてよい。低周波数シナリオで、このようなビットは、第１種類ビットに対応するサブチャネルの位置にマッピングされる。更に別に考慮することがある。システム及びシナリオが、シナリオに基づくこのような調整をサポートしない場合、システム設計の初期段階で、異なるシナリオの優先度に基づき考慮が行われるべきである。例えば、低周波数シナリオがより高い使用密度を有する場合、システム全体の中の１つ以上のビットは、第１種類ビット又は第４種類ビットをマッピングする方法で処理される。これとは反対に、高周波数シナリオがより重要である場合、１つ以上のビットは、第３種類ビットをマッピングする方法で処理される。
【０２１１】
（２）幾つかのビットは、異なるシナリオで同じ内容を運ぶが、同じ内容を運ぶビットは、異なるシナリオで異なる種類に属する。このようなビットが極性符号のサブチャネルにマッピングされるとき、システムのハンドオーバ性能は、システム設計の間に優先的に考慮されてよく、次にこれらのビットは、例えば、第１種類ビットに対応するサブチャネルの前に、又は第３種類ビットに対応するサブチャネルと第４種類ビットに対応するサブチャネルとの間に、極性符号のサブチャネルの中の低信頼性情報ビットにマッピングされる。システム設計がセルハンドオーバ性能に焦点を合わせない場合、対応するマッピング処理は、ビットの初めの分類されたビット種類に基づき実行される。
【０２１２】
別の例では、低周波数シナリオで、ＨＦＩが端末に別の方法で繰り返し通知される。この場合、ＨＦＩ情報は、第１種類ビットの特性も有する。極性符号のサブチャネルへのマッピングでは、ＨＦＩ情報は、第１種類ビットに対応するサブチャネルの前の位置にマッピングされ、又は別の信頼できない位置にマッピングされてよい。
【０２１３】
別の例では、パイロット密度制御シグナリングは、ブロードバンドアプリケーションでは第４種類ビットに属し、狭帯域シナリオでは第２種類ビットに属する。広帯域アプリケーションシナリオは、より頻繁に使用され、システムにおける負荷などのより高い優先度を有する。したがって、広帯域システムの設計要件は、第４種類ビットをマッピングする方法で、１つ以上のビットをマッピングするために、優先的に満たされる。これとは反対に、狭帯域装置の性能がより多く考慮される場合、１つ以上のビットは、第２種類ビットをマッピングする方法でマッピングされる。
【０２１４】
（３）更に、異なるシナリオで異なる内容を運ぶこのようなビットの特定の場合がある。１つ以上のビットは、第１シナリオではある種類の内容を運ぶが、これらのビットは、第２シナリオでは内容を運ばない。言い換えると、異なるシナリオでは、ビットは内容を運んでよく又はそうでなくてよい。
【０２１５】
１つ以上のビットをマッピングする方法は、具体的に、以下の通りである。例えば、高周波数シナリオでＳＳＢＩを示すために使用される１つ以上のビットは、低周波数シナリオで情報を運ばない。この場合、１つ以上のビットは、第１種類ビットをマッピングする方法で処理されてよい。つまり、１つ以上のビットは、第１種類ビットに対応するサブチャネルにマッピングされる、又は、第１種類ビットに対応するサブチャネルの後であるが第３種類ビットに対応するサブチャネルの位置の前のサブチャネル位置にマッピングされる。
【０２１６】
別の例では、幾つかの帯域幅構成指示シグナリングは、第４種類ビットに属し、高周波数シナリオでのみ存在する。このようなシグナリングを運ぶために使用される１つ以上のビットは、低周波数シナリオでは情報を運ばない。高周波数性能が優先的に考慮される場合、１つ以上のビットは、第１種類ビットをマッピングする方法で処理されてよく、又は、１つ以上のビットは、第１種類ビットに対応するサブチャネルの後であるが第４種類ビットに対応するサブチャネルの位置の前にある位置にマッピングされる。
【０２１７】
全体で、ビットセットの前述の分類、及び第１種類から第５種類までの順序に基づき、ＰＢＣＨのｐａｙｌｏａｄの内容は、情報ビットセットの中のサブチャネルの信頼性の昇順で、ｐｏｌａｒ符号の情報ビットセットにマッピングされ、又は、情報ビットセットの中のサブチャネルの自然シーケンス番号に従い前から後ろへ、ｐｏｌａｒ符号の情報ビットセットにマッピングされる。概して、本願は、信頼性の並べ替えに基づき記載される。特定のマッピング方法は、異なる分類された種類に従い変化する。
【０２１８】
さらに、前述のマッピング方法では、第５種類ビットが追加されるので、５種類のビットのマッピングのためのサブチャネル選択の間、第５種類ビットに対応するサブチャネルが考慮される必要がある。例えば、前述のマッピング方法に基づき、Ｍ５個の第５種類ビットをＭ１個の第１種類ビットに対応するサブチャネルにマッピングするステップは、Ｍ５個の第５種類ビットを（Ｍ１＋Ｍ５）個の第１種類ビットに対応するサブチャネルの中のＭ５個のサブチャネルにマッピングするステップとして理解されるべきである。他のマッピング方法は同様に理解される。
【０２１９】
さらに、任意で、特定種類として分類された１つ以上のビットは、該種類の中でまた更に分類され得る。例えば、１つ以上のビットの適用シナリオに基づき、第５種類ビットとして分類されたビットは、マッピング中有に更に分類され、相応してマッピングされる。このような設計は、システム互換性及び一貫性に焦点を当て、異なるシナリオの特性が、最小の差分で包括的に考慮される。
【０２２０】
例えば、第５種類ビットとして分類されＳＳＢＩを示すために使用される１つ以上のビット。１つ以上のビットは、高周波数シナリオで第３種類ビットに属する。低周波数シナリオでは、それらの使用は決定されるべきであるが、１つ以上のビットは第３種類ビットに属する。前述の高周波数及び低周波数アプリケーションシナリオでは、１つ以上のビットは、更に分類され、相応してマッピングされる。１つ以上のアイドルビットが低周波数シナリオで将来使用されない場合、１つ以上のビットは、第３種類ビットに対応するサブチャネルの中の比較的低い信頼性を有する位置にマッピングされる。或いは、１つ以上のアイドルビットが将来の起こりうる使用のために設計される場合、１つ以上のビットは、第３種類ビットに対応するサブチャネルの中の比較的高い信頼性を有する位置にマッピングされる。
【０２２１】
さらに、本願の一実施形態は、図７に示す分散型ＣＲＣ（Ｄ−ＣＲＣ）インターリービング処理を更に提供する。
【０２２２】
Ｄ−ＣＲＣ自体は、１回インターリービングを必要とし、マッピング処理は更に１回インターリービングを必要とする。したがって、処理全体は、２回のインターリービングを結合することにより実装される必要がある。その結果、２回のインターリービングの後の特定種類の内容のビットは、特定の信頼性を有するチャネルにマッピングされる。特定のフローチャートは図７に示される。
【０２２３】
ａ０，ａ１，．．．，ａｋは上位層から転送されたブロードキャスト情報であり、インターリービング１の後にｂ０，ｂ１，．．．，ｂｋになり、ｄ個のＣＲＣビットがシーケンスに接続されて、シーケンスｂ０，ｂ１，．．．，ｂｋ、ｃ０，ｃ１，．．．，ｃｄ−１を取得し、次に分散型ＣＲＣ（Distributed-CRC,  D-CRC）インターリービングが１回実行されて、ｄ０，ｄ１，．．．，ｄｋ＋ｄ−１を取得する。
【０２２４】
Ｄ−ＣＲＣインターリービングは、包括的に考慮される。図３Ｂの表の中の最終的なマッピング効果を達成するために、特定の信頼できる位置に置かれる必要のある様々な種類のＭＩＢのｂｉｔの順序は、予めマッピングされてよい。その結果、ＣＲＣ接続及びＤ−ＣＲＣインターリービングの行われた、及びｐｏｌａｒ符号の中のサブチャネルにマッピングされたビットは、図３Ｂの表の中の最終的なマッピング効果に従う。同様に、同様の効果を達成するために、１つの前インターリーバが、ビット順序が調整されるべきＭＩＢ情報に対して前インターリービングを実行するために使用されてよい。
【０２２５】
以下は、Ｄ−ＣＲＣがあるとき、前述のマッピング方法を用いて、ｐｏｌａｒ符号の極性サブチャネルのマッピングを詳細に説明する。
【０２２６】
実施形態１。ｐｏｌａｒ符号の符号長は５１２であり、ブロードキャストシグナリングのペイロードｐａｙｌｏａｄを決定するステップは、巡回冗長検査ＣＲＣビット及び予測可能情報ビットを含む。情報ビットの数Ｋは５６である。巡回冗長検査ＣＲＣビットについて、ここでは一例としてＤ−ＣＲＣが使用され、Ｄは２４ビットである。予測可能情報ビットの数Ｍは、（５６−２４）＝３２以下である。
【０２２７】
先ず、サブチャネルの信頼性の昇順で、情報ビットに対応するサブチャネルシーケンス番号セットの中のシーケンス番号は、０から開始し、合計５６ビットである。特定のセットは以下の通りである：
（４４１  ４６９  ２４７  ３６７  ２５３  ３７５  ４４４  ４７０  ４８３  ４１５  ４８５  ４７３  ４７４  ２５４  ３７９  ４３１  ４８９  ４８６  ４７６  ４３９  ４９０  ４６３  ３８１  ４９７  ４９２  ４４３  ３８２  ４９８  ４４５  ４７１  ５００  ４４６  ４７５  ４８７  ５０４  ２５５  ４７７  ４９１  ４７８  ３８３  ４９３  ４９９  ５０２  ４９４  ５０１  ４４７  ５０５  ５０６  ４７９  ５０８  ４９５  ５０３  ５０７  ５０９  ５１０  ５１１）。
【０２２８】
Ｋ＝５６及びＤ＝２４の場合のＤ−ＣＲＣインターリーバは以下の通りである：
（０  ２  ３  ５  ７  １０  １１  １２  １４  １５  １８  １９  ２１  ２４  ２６  ３０  ３１  ３２  １  ４  ６  ８  １３  １６  ２０  ２２  ２５  ２７  ３３  ９  １７  ２３  ２８  ３４  ２９  ３５  ３６  ３７  ３８  ３９  ４０  ４１  ４２  ４３  ４４  ４５  ４６  ４７  ４８  ４９  ５０  ５１  ５２  ５３  ５４  ５５）。
【０２２９】
Ｄ−ＣＲＣインターリーバに基づき、２４個のサブチャネルは、２４個のＤ−ＣＲＣビットを運ぶために、前述の情報ビットに対応するサブチャネルから選択される。２４個の特定のＤ−ＣＲＣビットは、以下の２４個のサブチャネルにマッピングされる：
（４４６  ４７８  ４８７  ４９０  ４９１  ４９２  ４９３  ４９４  ４９５  ４９７  ４９８  ４９９  ５００  ５０１  ５０２  ５０３  ５０４  ５０５  ５０６  ５０７  ５０８  ５０９  ５１０  ５１１）。
【０２３０】
次に、残りのｐｏｌａｒサブチャネルのシーケンス番号について、Ｍ個の予測可能情報ビットを運ぶために使用される全部で３２個のサブチャネルがあり、ここでＭは３２以下である：
（４４１  ４６９  ２４７  ３６７  ２５３  ３７５  ４４４  ４７０  ４８３  ４１５  ４８５  ４７３  ４７４  ２５４  ３７９  ４３１  ４８９  ４８６  ４７６  ４３９  ４６３  ３８１  ４４３  ３８２  ４４５  ４７１  ４７５  ２５５  ４７７  ３８３  ４４７  ４７９）。
【０２３１】
Ｍ個の予測可能情報ビットをマッピングする特定の方法は、以下の通りである。
【０２３２】
（１）Ｍ個の予測可能情報ビットが第５種類ビット及び第３種類ビットを含むとき、第５種類ビットはＳＳＢＩを含む場合、第３種類ビットはＨＦＩ及びＳＦＮを含み、第４種類ビットはＲＭＳＩ  ｃｏｎｆｉｇ及び／又は使用されるべきＲｅｓｅｒｖｅｄ  ｂｉｔを含む。
【０２３３】
（ａ）第５種類ビットＳＳＢＩが低周波数帯で知られているビットであり、使用されないことを考慮すると、ビットＳＳＢＩは、低周波数帯で第１種類ビットとして分類され、前述の３２個のサブチャネルのセットの中の３個の低信頼性サブチャネルにマッピングされ、マッピングは以下の通りである：
ＳＳＢＩ：（２４７  ４４１  ４６９）
【０２３４】
（ｂ）第３種類ビットＨＦＩ及びＳＦＮが、（３２−３）個、つまり２９個のサブチャネルの中の３個の最低信頼性サブチャネルにマッピングされる。特定のマッピングは以下の通りである：
ＨＦＩ：３６７
ＳＦＮ：（２５３  ３７５  ４４４  ２５４  ４１５  ４７０  ４７３  ４７４  ４８３  ４８５）
【０２３５】
図７に示した実施形態を参照すると、ビットシーケンスｄ０，ｄ１，．．．，ｄｋ＋ｄ＋１は、前述のマッピング方法でｐｏｌａｒ符号のサブチャネルにマッピングされる。
【０２３６】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＳＳＢＩ：（２４  ６  ０）
ＨＦＩ：７
ＳＦＮ：（２  １０  ３０  ８  １７  １８  ２３  １６  ２０  ３）
【０２３７】
（２）第５種類ビットＳＳＢＩが将来、低周波数帯で使用されることを考慮すると、ビットＳＳＢＩは第４種類ビットとして分類される。マッピングの間に、第３種類ビットのマッピングが先ず考慮される。第３種類ビットＨＦＩ及びＳＦＮは、前述の３２個のサブチャネルのセットの中の１１個の最低信頼性サブチャネルにマッピングされる（ＨＦＩ及びＳＦＮは、本実施形態では更に分類されない）。次に、２１個の残りのサブチャネルが考慮され、それらから３個のサブチャネルがＳＳＢＩを運ぶために選択される。特定のサブチャネルマッピング関係は以下の通りである：
ＨＦＩ：（４４１）
ＳＦＮ：（２４７  ３６７  ４６９  ２５３  ３７５  ４１５  ４４４  ４７０  ４８３  ４８５）
ＳＳＢＩ：（２５４  ４７３  ４７４）
【０２３８】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＨＦＩ：２４
ＳＦＮ：（６  ０  ７  ２  １０  ３０  ８  １７  １８  ２３）
ＳＳＢＩ：（１６  ２０  ３）
【０２３９】
（３）Ｍ個の予測可能情報ビットが、ＲＭＳＩ  ｃｏｎｆｉｇのような第２種類ビットと、ＨＦＩ、ＳＦＮ、及びＳＳＢＩのような第３種類ビットと、を含むとき。
【０２４０】
先ず、第２種類ビットが考慮される。第２種類ビットは、８個の最低信頼性サブチャネルにマッピングされる。次に、第３種類ビットが考慮される。第３種類ビットが、（３２-８）個、つまり２４個のサブチャネルの中の１４個の最低信頼性サブチャネルにマッピングされる。
【０２４１】
最終的なサブチャネルマッピングは以下の通りである：
ＲＭＳＩ  Ｃｏｎｆｉｇ：（  ２４７  ２５３  ３６７  ３７５  ４４１  ４４４  ４６９  ４７０）
ＨＦＩ：４８３
ＳＦＮ：（４１５  ４７３  ４８５  ２５４  ３７９  ４３１  ４７４  ４７６  ４８６  ４８９）
ＳＳＢＩ：（３８１  ４３９  ４６３）
【０２４２】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＲＭＳＩ  Ｃｏｎｆｉｇ：（  ２４  ６  ０  ７  ２  １０  ３０  ８）
ＨＦＩ：１７
ＳＦＮ：（１８  ２３  １６  ２０  ３  １１  １９  ２９  ２８  ２５）
ＳＳＢＩ：（２１  ４  １２）
【０２４３】
（４）Ｍ個の予測可能情報ビットが、使用されないＲｅｓｅｒｖｅｄ  ｂｉｔのような第１種類ビットと、ＳＳＢＩ、ＨＦＩ、及びＳＦＮのような第３種類ビットと、を含むとき。
【０２４４】
先ず、第１種類ビットが、前述の３２個のサブチャネルの中の３個の最低信頼性サブチャネルにマッピングされる。次に、第３種類ビットが、（３２-３）個、つまり２９個のサブチャネルの中の１４個の最低信頼性サブチャネルにマッピングされる。最終的なサブチャネルマッピングは以下の通りである：
Ｒｅｓｅｒｖｅｄ  ｂｉｔｓ：（２４７  ４４１  ４６９）
ＳＳＢＩ：（２５３  ３６７  ３７５）
ＨＦＩ：４４４
ＳＦＮ：（４１５  ４７０  ４８３  ２５４  ３７９  ４３１  ４７３  ４７４  ４８５  ４８９）
【０２４５】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：Ｒｅｓｅｒｖｅｄ  ｂｉｔ２４  ６  ０がインターリービング１を行われた後に、Ｒｅｓｅｒｖｅｄ  ｂｉｔは、出力されるインターリービングされたＭＩＢシーケンスの位置に置かれる。例えば、Ｒｅｓｅｒｖｅｄ  ｂｉｔは、インターリービングされたＭＩＢシーケンスのビット２４、ビット６、ビット０にマッピングされる。つまり、Ｒｅｓｅｒｖｅｄ  ｂｉｔは、ＭＩＢシーケンスの中のｂ０，ｂ６，ｂ２４に置かれる。
ＳＳＢＩ：（７  ２  １０）
ＨＦＩ：３０
ＳＦＮ：（８  １７  １８  ２３  １６  ２０  ３  １１  １９  ２９）
【０２４６】
実施形態２。極性符号ｐｏｌａｒ符号の符号長は５１２であり、ブロードキャストシグナリングのペイロードｐａｙｌｏａｄを決定するステップは、巡回冗長検査ＣＲＣビット及び予測可能情報ビットを含む。ｐａｙｌｏａｄは、ｐｏｌａｒ符号のサブチャネルの中の予め定められた位置に１つ以上のビットを更に含む。情報ビットの数Ｋは５６である。巡回冗長検査ＣＲＣビットについて、ここでは一例としてＤ−ＣＲＣが使用され、Ｄは２４ビットである。ｐｏｌａｒ符号のサブチャネルの中の予め定められた位置にあるビットの数はＸであると仮定する。予測可能情報ビットの数Ｍは、（５６−２４−Ｘ）以下である。先ず、サブチャネルの信頼性の昇順で、情報ビットに対応するサブチャネルシーケンス番号セットの中のシーケンス番号は、０から開始し、合計５６ビットである。特定のセットは以下の通りである：
（４４１  ４６９  ２４７  ３６７  ２５３  ３７５  ４４４  ４７０  ４８３  ４１５  ４８５  ４７３  ４７４  ２５４  ３７９  ４３１  ４８９  ４８６  ４７６  ４３９  ４９０  ４６３  ３８１  ４９７  ４９２  ４４３  ３８２  ４９８  ４４５  ４７１  ５００  ４４６  ４７５  ４８７  ５０４  ２５５  ４７７  ４９１  ４７８  ３８３  ４９３  ４９９  ５０２  ４９４  ５０１  ４４７  ５０５  ５０６  ４７９  ５０８  ４９５  ５０３  ５０７  ５０９  ５１０  ５１１）。
【０２４７】
Ｋ＝５６及びＤ＝２４の場合のＤ−ＣＲＣインターリーバは以下の通りである：
（０  ２  ３  ５  ７  １０  １１  １２  １４  １５  １８  １９  ２１  ２４  ２６  ３０  ３１  ３２  １  ４  ６  ８  １３  １６  ２０  ２２  ２５  ２７  ３３  ９  １７  ２３  ２８  ３４  ２９  ３５  ３６  ３７  ３８  ３９  ４０  ４１  ４２  ４３  ４４  ４５  ４６  ４７  ４８  ４９  ５０  ５１  ５２  ５３  ５４  ５５）。
【０２４８】
Ｄ−ＣＲＣインターリーバに基づき、２４個のサブチャネルは、２４個のＤ−ＣＲＣビットを運ぶために、前述の情報ビットに対応するサブチャネルから選択される。２４個の特定のＤ−ＣＲＣビットは、以下の２４個のサブチャネルにマッピングされる：
（４４６  ４７８  ４８７  ４９０  ４９１  ４９２  ４９３  ４９４  ４９５  ４９７  ４９８  ４９９  ５００  ５０１  ５０２  ５０３  ５０４  ５０５  ５０６  ５０７  ５０８  ５０９  ５１０  ５１１）。
【０２４９】
次に、Ｘ個のサブチャネルが、ｐｏｌａｒ符号のサブチャネルの中の予め定められた位置でビットを運ぶために、全部で３２個のサブチャネルの、残りのｐｏｌａｒサブチャネルシーケンス番号から、選択される。例えば。
【０２５０】
（１）ＳＳＢＩの３個のビットは、ｐｏｌａｒ符号のサブチャネルの中の予め定められた位置でビットを運ぶために使用される。この場合、ＳＳＢＩの３個のビットは、ｐｏｌａｒ符号の情報ｂｉｔのサブチャネルの自然シーケンスの中の前方位置、つまり（２４７  ２５３  ２５４）に置かれる。残りの（３２−３）個、つまり２９個のサブチャネルは、第１種類ビットから第４種類ビットをマッピングする方法で、Ｍ個の予測可能情報ビットにマッピングされる。
【０２５１】
最終的なサブチャネルマッピングは以下の通りである：
ＳＳＢＩ：（２４７  ２５３  ２５４）
ＨＦＩ：４４１
ＳＦＮ：（３６７  ３７５  ４６９  ４１５  ４４４  ４７０  ４７３  ４７４  ４８３  ４８５）
【０２５２】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＳＳＢＩ：（０  ２  ３）
ＨＦＩ：２４
ＳＦＮ：（６  ７  １０  ３０  ８  １７  １８  ２３  １６  ２０）
【０２５３】
（２）「Ｃｅｌｌ  ｂａｒｒｅｄ  ｆｌａｇ」の１個のビット及びＳＳＢＩの３個のビットは、ｐｏｌａｒ符号のサブチャネルの中の予め定められた位置でビットを運ぶために使用される。この場合、「Ｃｅｌｌ  ｂａｒｒｅｄ  ｆｌａｇ」のビット及びＳＳＢＩの３個のビットは、ｐｏｌａｒ符号の情報ｂｉｔのサブチャネルの自然シーケンスの中の前方位置、つまり（２４７  ２５３  ２５４  ２５５）に置かれる。Ｍ個の予測可能情報ビットを運ぶ残りのサブチャネルのマッピング方法について、マッピングは、第１種類ビットから第４種類ビットをマッピングする方法で、実行される。
【０２５４】
最終的なサブチャネルマッピングは以下の通りである：
Ｃｅｌｌ  ｂａｒｒｅｄ：２４７
ＳＳＢＩ：（２５３  ２５４  ２５５）
ＨＦＩ：４４１
ＳＦＮ：（３６７  ３７５  ４６９  ４１５  ４４４  ４７０  ４７３  ４７４  ４８３  ４８５）
【０２５５】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
Ｃｅｌｌ  ｂａｒｒｅｄ：０
ＳＳＢＩ：（２  ３  ５）
ＨＦＩ：２４
ＳＦＮ：（６  ７  １０  ３０  ８  １７  １８  ２３  １６  ２０）
【０２５６】
（３）「Ｃｅｌｌ  ｂａｒｒｅｄ  ｆｌａｇ」の１個のビット及びＳＳＢＩの３個のビットは、ｐｏｌａｒ符号のサブチャネルの中の予め定められた位置でビットを運ぶために使用される。この場合、ＳＳＢＩの３個のビットは、ｐｏｌａｒ符号の情報ｂｉｔのサブチャネルの自然シーケンスの中の前方位置、つまり（２４７  ２５３  ２５４）に置かれる。「Ｃｅｌｌ  ｂａｒｒｅｄ  ｆｌａｇ」は比較的前の位置に置かれる。「Ｃｅｌｌ  ｂａｒｒｅｄ  ｆｌａｇ」の値は変化し得るので、比較的高い信頼性を有する位置に「Ｃｅｌｌ  ｂａｒｒｅｄ  ｆｌａｇ」を置くことは、全体の性能の助けになる。例えば「Ｃｅｌｌ  ｂａｒｒｅｄ  ｆｌａｇ」は位置２５５に置かれる。Ｍ個の予測可能情報ビットを運ぶ残りのサブチャネルのマッピング方法について、マッピングは、第１種類ビットから第４種類ビットをマッピングする方法で、実行される。詳細はここで再び記載されない。
【０２５７】
前述の実施形態１及び実施形態２では、詳細な説明は、情報ビットの数Ｋが５６である例を用いて行われた。以下は、さらに、情報ビットの数Ｋが６４である例を用いて詳細な説明を行う。
【０２５８】
実施形態３。極性符号ｐｏｌａｒ符号の符号長は５１２であり、ブロードキャストシグナリングのペイロードｐａｙｌｏａｄを決定するステップは、巡回冗長検査ＣＲＣビット及び予測可能情報ビットを含む。情報ビットの数Ｋは６４である。巡回冗長検査ＣＲＣビットについて、ここでは一例としてＤ−ＣＲＣが使用され、Ｄは２４ビットである。予測可能情報ビットの数Ｍは、（６４−２４）＝４０以下である。
【０２５９】
先ず、サブチャネルの信頼性の昇順で、情報ビットに対応するサブチャネルシーケンス番号セットの中のシーケンス番号は、０から開始し、合計６４ビットである。特定のセットは以下の通りである：
（４６１  ４９６  ３５１  ４６７  ４３８  ２５１  ４６２  ４４２  ４４１  ４６９  ２４７  ３６７  ２５３  ３７５  ４４４  ４７０  ４８３  ４１５  ４８５  ４７３  ４７４  ２５４  ３７９  ４３１  ４８９  ４８６  ４７６  ４３９  ４９０  ４６３  ３８１  ４９７  ４９２  ４４３  ３８２  ４９８  ４４５  ４７１  ５００  ４４６  ４７５  ４８７  ５０４  ２５５  ４７７  ４９１  ４７８  ３８３  ４９３  ４９９  ５０２  ４９４  ５０１  ４４７  ５０５  ５０６  ４７９  ５０８  ４９５  ５０３  ５０７  ５０９  ５１０  ５１１）。
【０２６０】
Ｋ＝６４及びＤ＝２４の場合のＤ−ＣＲＣインターリーバは以下の通りである：
（１  ４  ６  ８  １０  １１  １３  １５  １８  １９  ２０  ２２  ２３  ２６  ２７  ２９  ３２  ３４  ３８  ３９  ４０  ２  ５  ７  ９  １２  １４  １６  ２１  ２４  ２８  ３０  ３３  ３５  ４１  ０  ３  １７  ２５  ３１  ３６  ４２  ３７  ４３  ４４  ４５  ４６  ４７  ４８  ４９  ５０  ５１  ５２  ５３  ５４  ５５  ５６  ５７  ５８  ５９  ６０  ６１  ６２  ６３）。
【０２６１】
Ｄ−ＣＲＣインターリーバに基づき、２４個のサブチャネルは、２４個のＤ−ＣＲＣビットを運ぶために、前述の情報ビットに対応するサブチャネルから選択される。２４個の特定のＤ−ＣＲＣビットは、以下の２４個のサブチャネルにマッピングされる：
（４４５  ４７７  ４８９  ４９１  ４９２  ４９３  ４９４  ４９５  ４９６  ４９７  ４９８  ４９９  ５００  ５０１  ５０２  ５０３  ５０４  ５０５  ５０６  ５０７  ５０８  ５０９  ５１０  ５１１）。
【０２６２】
次に、残りのｐｏｌａｒサブチャネルのシーケンス番号について、Ｍ個の予測可能情報ビットを運ぶために使用される全部で４０個のサブチャネルがあり、ここでＭは４０以下である：
（４６１  ３５１  ４６７  ４３８  ２５１  ４６２  ４４２  ４４１  ４６９  ２４７  ３６７  ２５３  ３７５  ４４４  ４７０  ４８３  ４１５  ４８５  ４７３  ４７４  ２５４  ３７９  ４３１  ４８６  ４７６  ４３９  ４９０  ４６３  ３８１  ４４３  ３８２  ４７１  ４４６  ４７５  ４８７  ２５５  ４７８  ３８３  ４４７  ４７９）。
【０２６３】
（１）Ｍ個の予測可能情報ビットが第５種類ビット及び第３種類ビットを含むとき、第５種類ビットはＳＳＢＩを含む場合、第３種類ビットはＨＦＩ及びＳＦＮを含み、第４種類ビットはＲＭＳＩ  ｃｏｎｆｉｇ及び／又は使用されるべきＲｅｓｅｒｖｅｄ  ｂｉｔを含む。
【０２６４】
（ａ）第５種類ビットＳＳＢＩが低周波数帯で知られているビットであり、使用されないことを考慮すると、ビットＳＳＢＩは、低周波数帯で第１種類ビットとして分類され、前述の４０個のサブチャネルのセットの中の３個の低信頼性サブチャネルにマッピングされ、マッピングは以下の通りである：
ＳＳＢＩ：（３５１  ４６１  ４６７）
【０２６５】
（ｂ）第３種類ビットＨＦＩ及びＳＦＮが、（４０−３）個、つまり３７個のサブチャネルの中の３個の最低信頼性サブチャネルにマッピングされる。特定のマッピングは以下の通りである：
ＨＦＩ：４３８
ＳＦＮ：（２５１  ４４２  ４６２  ２４７  ２５３  ３６７  ３７５  ４４１  ４４４  ４６９）
【０２６６】
図７に示した実施形態を参照すると、ビットシーケンスｄ０，ｄ１，．．．，ｄｋ＋ｄ＋１は、前述のマッピング方法でｐｏｌａｒ符号のサブチャネルにマッピングされる。
【０２６７】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＳＳＢＩ：（７  １１  １４）
ＨＦＩ：２７
ＳＦＮ：（４  ９  ３４  ３２  １６  １  １３  ６  １５  ３９）
【０２６８】
（２）第５種類ビットＳＳＢＩが将来、低周波数帯で使用されることを考慮すると、ビットＳＳＢＩは第４種類ビットとして分類される。マッピングの間に、第３種類ビットのマッピングが先ず考慮される。第３種類ビットＨＦＩ及びＳＦＮは、前述の３２個のサブチャネルのセットの中の１１個の最低信頼性サブチャネルにマッピングされる（ＨＦＩ及びＳＦＮは、本実施形態では更に分類されない）。次に、残りのサブチャネルが考慮され、それらから３個のサブチャネルがＳＳＢＩを運ぶために選択される。特定のサブチャネルマッピング関係は以下の通りである：
ＨＦＩ：４６１
ＳＦＮ：（３５１  ４３８  ４６７  ２４７  ２５１  ３６７  ４４１  ４４２  ４６２  ４６９）
ＳＳＢＩ：（２５３  ３７５  ４４４）
【０２６９】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＨＦＩ：７
ＳＦＮ：（１１  １４  ２７  ４  ９  ３４  ３２  １６  １  １３）
ＳＳＢＩ：（６  １５  ３９）
【０２７０】
（３）Ｍ個の予測可能情報ビットが、ＲＭＳＩ  ｃｏｎｆｉｇのような第２種類ビットと、ＨＦＩ、ＳＦＮ、及びＳＳＢＩのような第３種類ビットと、を含むとき。
【０２７１】
先ず、第２種類ビットが考慮される。第２種類ビットは、８個の最低信頼性サブチャネルにマッピングされる。次に、第３種類ビットが考慮される。第３種類ビットが、残りのサブチャネルの中の１４個の最低信頼性サブチャネルにマッピングされる。
ＲＭＳＩ  ｃｏｎｆｉｇ：先頭位置にあり（ここで、ＲＭＳＩ  ｃｏｎｆｉｇは第２種類に属する）：ＲＭＳＩ  ｃｏｎｆｉｇ，ＨＦＩ，ＳＦＮ，ＳＳＢＩ，．．．
【０２７２】
最終的なサブチャネルマッピングは以下の通りである：
ＲＭＳＩ  Ｃｏｎｆｉｇ：（  ２５１  ３５１  ４３８  ４４１  ４４２  ４６１  ４６２  ４６７）
ＨＦＩ：４６９
ＳＦＮ：（２４７  ２５３  ３６７  ３７５  ４１５  ４４４  ４７０  ４７３  ４８３  ４８５）
ＳＳＢＩ：（２５４  ３７９  ４７４）
【０２７３】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＲＭＳＩ  Ｃｏｎｆｉｇ：（  ７  １１  １４  ２７  ４  ９  ３４  ３２）
ＨＦＩ：１６
ＳＦＮ１：（１  １３  ６  １５  ３９  ２１  １７  ２３  ２５  ２８）
ＳＳＢＩ：（３０  ８  １８）
【０２７４】
（４）Ｍ個の予測可能情報ビットが、使用されないＲｅｓｅｒｖｅｄ  ｂｉｔのような第１種類ビットと、ＳＳＢＩ、ＨＦＩ、及びＳＦＮのような第３種類ビットと、を含むとき。
【０２７５】
先ず、第１種類ビットが、前述の４０個のサブチャネルの中の３個の最低信頼性サブチャネルにマッピングされる。次に、第３種類ビットが、残りのサブチャネルの中の１４個の最低信頼性サブチャネルにマッピングされる。最終的なサブチャネルマッピングは以下の通りである：
【０２７６】
最終的なサブチャネルマッピングは以下の通りである：
Ｒｅｓｅｒｖｅｄ  ｂｉｔｓ：（３５１  ４６１  ４６７）
ＳＳＢＩ：（２５１  ４３８  ４６２）
ＨＦＩ：４４２
ＳＦＮ：（２４７  ４４１  ４６９  ２５３  ３６７  ３７５  ４１５  ４４４  ４７０  ４８３）
【０２７７】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
Ｒｅｓｅｒｖｅｄ  ｂｉｔｓ：（７  １１  １４）
ＳＳＢＩ：（２７  ４  ９）
ＨＦＩ：３４
ＳＦＮ：（３２  １６  １  １３  ６  １５  ３９  ２１  １７  ２３）
【０２７８】
実施形態４。極性符号ｐｏｌａｒ符号の符号長は５１２であり、ブロードキャストシグナリングのペイロードｐａｙｌｏａｄを決定するステップは、巡回冗長検査ＣＲＣビット、予測可能情報ビット、及びｐｏｌａｒ符号のサブチャネルの中の予め定められた位置にあるビットを含む。情報ビットの数Ｋは６４である。巡回冗長検査ＣＲＣビットについて、ここでは一例としてＤ−ＣＲＣが使用され、Ｄは２４ビットである。ｐｏｌａｒ符号のサブチャネルの中の予め定められた位置にあるビットの数はＸであると仮定する。予測可能情報ビットの数Ｍは、（６４−２４−Ｘ）以下である。
【０２７９】
先ず、サブチャネルの信頼性の昇順で、情報ビットに対応するサブチャネルシーケンス番号セットの中のシーケンス番号は、０から開始し、合計６４ビットである。特定のセットは以下の通りである：
（４４１  ４６９  ２４７  ３６７  ２５３  ３７５  ４４４  ４７０  ４８３  ４１５  ４８５  ４７３  ４７４  ２５４  ３７９  ４３１  ４８９  ４８６  ４７６  ４３９  ４９０  ４６３  ３８１  ４９７  ４９２  ４４３  ３８２  ４９８  ４４５  ４７１  ５００  ４４６  ４７５  ４８７  ５０４  ２５５  ４７７  ４９１  ４７８  ３８３  ４９３  ４９９  ５０２  ４９４  ５０１  ４４７  ５０５  ５０６  ４７９  ５０８  ４９５  ５０３  ５０７  ５０９  ５１０  ５１１）。
【０２８０】
Ｋ＝６４及びＤ＝２４の場合のＤ−ＣＲＣインターリーバは以下の通りである：
（１  ４  ６  ８  １０  １１  １３  １５  １８  １９  ２０  ２２  ２３  ２６  ２７  ２９  ３２  ３４  ３８  ３９  ４０  ２  ５  ７  ９  １２  １４  １６  ２１  ２４  ２８  ３０  ３３  ３５  ４１  ０  ３  １７  ２５  ３１  ３６  ４２  ３７  ４３  ４４  ４５  ４６  ４７  ４８  ４９  ５０  ５１  ５２  ５３  ５４  ５５    ５６  ５７  ５８  ５９  ６０  ６１  ６２  ６３）。
【０２８１】
Ｄ−ＣＲＣインターリーバに基づき、２４個のサブチャネルは、２４個のＤ−ＣＲＣビットを運ぶために、前述の情報ビットに対応するサブチャネルから選択される。２４個の特定のＤ−ＣＲＣビットは、以下の２４個のサブチャネルにマッピングされる：
（４４６  ４７８  ４８７  ４９０  ４９１  ４９２  ４９３  ４９４  ４９５  ４９７  ４９８  ４９９  ５００  ５０１  ５０２  ５０３  ５０４  ５０５  ５０６  ５０７  ５０８  ５０９  ５１０  ５１１）。
【０２８２】
次に、Ｘ個のサブチャネルが、ｐｏｌａｒ符号のサブチャネルの中の予め定められた位置でビットを運ぶために、全部で４０個のサブチャネルの、残りのｐｏｌａｒサブチャネルシーケンス番号から、選択される。例えば。
【０２８３】
（１）ＳＳＢＩの３個のビットは、ｐｏｌａｒ符号のサブチャネルの中の予め定められた位置でビットを運ぶために使用される。この場合、ＳＳＢＩの３個のビットは、ｐｏｌａｒ符号の情報ｂｉｔのサブチャネルの自然シーケンスの中の前方位置、つまり（２４７  ２５１  ２５３）に置かれる。残りのサブチャネルは、第１種類ビットから第４種類ビットをマッピングする方法で、Ｍ個の予測可能情報ビットにマッピングされる。
【０２８４】
最終的なサブチャネルマッピングは以下の通りである：
ＳＳＢＩ：（２４７  ２５１  ２５３）
ＨＦＩ：４６１
ＳＦＮ：（３５１  ４３８  ４６７  ３６７  ３７５  ４４１  ４４２  ４４４  ４６２  ４６９）
【０２８５】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
ＳＳＢＩ：（１  ４  ６）
ＨＦＩ：７
ＳＦＮ：（１１  １４  ２７  ９  ３４  ３２  １６  １３  １５  ３９）
【０２８６】
（２）「Ｃｅｌｌ  ｂａｒｒｅｄ  ｆｌａｇ」の１個のビット及びＳＳＢＩの３個のビットは、ｐｏｌａｒ符号のサブチャネルの中の予め定められた位置でビットを運ぶために使用される。この場合、「Ｃｅｌｌ  ｂａｒｒｅｄ  ｆｌａｇ」のビット及びＳＳＢＩの３個のビットは、ｐｏｌａｒ符号の情報ｂｉｔのサブチャネルの自然シーケンスの中の前方位置、つまり（２４７  ２５３  ２５４  ２５５）に置かれる。Ｍ個の予測可能情報ビットを運ぶ残りのサブチャネルのマッピング方法について、マッピングは、第１種類ビットから第４種類ビットをマッピングする方法で、実行される。最終的なサブチャネルマッピングは以下の通りである：
Ｃｅｌｌ  ｂａｒｒｅｄ：２４７
ＳＳＢＩ：（２５１  ２５３  ２５４）
ＨＦＩ：４６１
ＳＦＮ：（３５１  ４３８  ４６７  ３６７  ３７５  ４４１  ４４２  ４４４  ４６２  ４６９）
【０２８７】
さらに、任意で、逆推定が、ｐｏｌａｒサブチャネルの前述のマッピング関係及びＤ−ＣＲＣインターリービングパターンに基づき、実行され、図７のＭＩＢシーケンスａ０，ａ１，．．．，ａｋがインターリービング１及びマッピングを行われた後の、対応する出力されるインターリービングされたＭＩＢシーケンスｂ０，ｂ１，．．．，ｂｋを得る。詳細は以下の通りである：
Ｃｅｌｌ  ｂａｒｒｅｄ：１
ＳＳＢＩ：（４  ６  ８）
ＨＦＩ：７
ＳＦＮ１：（１１  １４  ２７  ９  ３４  ３２  １６  １３  １５  ３９）
【０２８８】
（３）「Ｃｅｌｌ  ｂａｒｒｅｄ  ｆｌａｇ」の１個のビット及びＳＳＢＩの３個のビットは、ｐｏｌａｒ符号のサブチャネルの中の予め定められた位置でビットを運ぶために使用される。この場合、ＳＳＢＩの３個のビットは、ｐｏｌａｒ符号の情報ｂｉｔのサブチャネルの自然シーケンスの中の前方位置、つまり（２４７  ２５１  ２５３）に置かれる。「Ｃｅｌｌ  ｂａｒｒｅｄ  ｆｌａｇ」は比較的前の位置に置かれる。「Ｃｅｌｌ  ｂａｒｒｅｄ  ｆｌａｇ」の値は変化し得るので、比較的高い信頼性を有する位置に「Ｃｅｌｌ  ｂａｒｒｅｄ  ｆｌａｇ」を置くことは、全体の性能の助けになる。例えば「Ｃｅｌｌ  ｂａｒｒｅｄ  ｆｌａｇ」は位置２５５に置かれる。Ｍ個の予測可能情報ビットを運ぶ残りのサブチャネルのマッピング方法について、マッピングは、第１種類ビットから第４種類ビットをマッピングする方法で、実行される。詳細はここで再び記載されない。
【図１】
2020534746.tif 000007
【図２】
2020534746.tif 000008
【図３】
2020534746.tif 000009
【図３Ａ】
2020534746.tif 000010
【図３Ｂ】
2020534746.tif 000011
【図４】
2020534746.tif 000012
【図５】
2020534746.tif 000013
【図６】
2020534746.tif 000014
【図７】
2020534746.tif 000015
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
極性符号化方法であって、
ブロードキャストシグナリングのペイロードｐａｙｌｏａｄがＤ個の巡回冗長検査ＣＲＣビット及びＭ個の予測可能情報ビットを含むことを決定するステップと、
前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得するステップであって、Ｍ＜Ｋ、且つＤ、Ｍ、及びＫは全て正整数である、ステップと、
前記マッピングされたビットに対して極性符号化を実行して、符号化ビットを取得するステップと、
前記符号化ビットを送信するステップと、
を含む符号化方法。
【請求項２】
前記Ｍ個の予測可能情報ビットは、以下のビットの組み合わせ：
Ｍ１個の第１種類ビット、Ｍ２個の第２種類ビット、又はＭ３個の第３種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、Ｍ１、Ｍ２、及びＭ３は全て正整数であり、Ｍ１≦Ｍ、Ｍ２≦Ｍ、及びＭ３≦Ｍである、請求項１に記載の符号化方法。
【請求項３】
前記Ｍ個の予測可能情報ビットが、前記Ｍ１個の第１種類ビット及び前記Ｍ２個の第２種類ビットを含む、又は前記Ｍ１個の予約ビット及び前記Ｍ３個の第２種類ビットを含むとき、前記Ｍ１個の第１種類ビットは、Ｍ個の情報ビットの中のＭ１個の低信頼性情報ビットにマッピングされ、
前記Ｍ２個の第２種類ビットは、前記Ｍ個の情報ビットの残りの情報ビットの中のＭ２個の低信頼性情報ビットにマッピングされる、又は、
前記Ｍ１個の第１種類ビットは、前記Ｍ個の情報ビットの中のＭ１個の低信頼性情報ビットにマッピングされ、
前記Ｍ３個の第２種類ビットは、前記Ｍ個の情報ビットの残りの情報ビットの中のＭ３個の低信頼性情報ビットにマッピングされる、
請求項１に記載の符号化方法。
【請求項４】
前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットは、Ｍ個の情報ビットの中のＭ１個の低信頼性情報ビットにマッピングされ、
前記Ｍ２個の第２種類ビットは、（Ｍ−Ｍ１)個の情報ビットの中のＭ２個の低信頼性情報ビットにマッピングされ、
前記Ｍ３個の第３種類ビットは、（Ｍ−Ｍ１−Ｍ２）個のビットの中のＭ３個の低信頼性情報ビットにマッピングされる、
請求項２に記載の符号化方法。
【請求項５】
前記ｐａｙｌｏａｄは、Ｊ個の非予測可能情報ビットを更に含み、
前記Ｊ個の非予測可能情報ビットは、（Ｋ−Ｍ−Ｄ）個の情報ビットの中のＪ個の低信頼性情報ビットにマッピングされ、Ｊ＜Ｋ、且つＪは正整数である、請求項１に記載の符号化方法。
【請求項６】
前記Ｍ個の低信頼性情報ビットは、予め設定された閾より低い信頼性のＭ個の情報ビットを含む、又は前記Ｍ個の低信頼性情報ビットは、前記Ｋ個の情報ビットの中のＭ個の最低信頼性情報ビットを含む、請求項１乃至５のいずれか一項に記載の符号化方法。
【請求項７】
前記情報ビットの信頼性値は、ビットキャパシティ、バタチャリア距離Bhattacharyyaパラメータ、又は誤り確率に基づき決定される、請求項１乃至６のいずれか一項に記載の符号化方法。
【請求項８】
極性符号化機器であって、
プロセッサであって、ブロードキャストシグナリングのペイロードｐａｙｌｏａｄがＤ個の巡回冗長検査ＣＲＣビット及びＭ個の予測可能情報ビットを含むことを決定し、前記Ｍ個の予測可能情報ビットを、それぞれ、極性符号のＫ個の情報ビットの中のＭ個の低信頼性情報ビットにマッピングし、前記Ｄ個の巡回冗長検査ＣＲＣビットを前記Ｋ個の情報ビットの残りの情報ビットの中のＤ個の高信頼性情報ビットにマッピングして、マッピングされたビットを取得し、Ｍ＜Ｋ、且つＤ、Ｍ、及びＫは全て正整数であり、
前記マッピングされたビットに対して極性符号化を実行して、符号化された符号化ビットを取得する、よう構成されるプロセッサ、
を含む符号化機器。
【請求項９】
前記Ｍ個の予測可能情報ビットは、以下のビットの組み合わせ：
Ｍ１個の第１種類ビット、Ｍ２個の第２種類ビット、又はＭ３個の第３種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、Ｍ１、Ｍ２、及びＭ３は全て正整数であり、Ｍ１≦Ｍ、Ｍ２≦Ｍ、及びＭ３≦Ｍである、請求項８に記載の符号化機器。
【請求項１０】
前記Ｍ個の予測可能情報ビットが、前記Ｍ１個の第１種類ビット及び前記Ｍ２個の第２種類ビットを含む、又は前記Ｍ１個の予約ビット及び前記Ｍ３個の第２種類ビットを含むとき、前記Ｍ１個の第１種類ビットは、Ｍ個の情報ビットの中のＭ１個の低信頼性情報ビットにマッピングされ、
前記プロセッサは、具体的に、前記Ｍ２個の第２種類ビットを、前記Ｍ個の情報ビットの残りの情報ビットの中のＭ２個の低信頼性情報ビットにマッピングする、又は、
前記Ｍ１個の第１種類ビットを、前記Ｍ個の情報ビットの中のＭ１個の低信頼性情報ビットにマッピングし、前記Ｍ３個の第２種類ビットを、前記Ｍ個の情報ビットの残りの情報ビットの中のＭ３個の低信頼性情報ビットにマッピングする、よう構成される、
請求項９に記載の符号化機器。
【請求項１１】
前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットは、Ｍ個の情報ビットの中のＭ１個の低信頼性情報ビットにマッピングされ、
前記プロセッサは、更に、前記Ｍ２個の第２種類ビットを、（Ｍ−Ｍ１)個の情報ビットの中のＭ２個の低信頼性情報ビットにマッピングし、
前記Ｍ３個の第３種類ビットを、（Ｍ−Ｍ１−Ｍ２）個のビットの中のＭ３個の低信頼性情報ビットにマッピングする、よう構成される、
請求項９に記載の符号化機器。
【請求項１２】
前記ｐａｙｌｏａｄは、Ｊ個の非予測可能情報ビットを更に含み、
前記プロセッサは、更に、前記Ｊ個の非予測可能情報ビットを、（Ｋ−Ｍ−Ｄ）個の情報ビットの中のＪ個の低信頼性情報ビットにマッピングするよう構成され、Ｊ＜Ｋ、且つＪは正整数である、請求項８に記載の符号化機器。
【請求項１３】
前記Ｍ個の低信頼性情報ビットは、予め設定された閾より低い信頼性のＭ個の情報ビットを含む、又は前記Ｍ個の低信頼性情報ビットは、前記Ｋ個の情報ビットの中のＭ個の最低信頼性情報ビットを含む、請求項８乃至１２のいずれか一項に記載の符号化機器。
【請求項１４】
前記情報ビットの信頼性値は、ビットキャパシティ、バタチャリア距離Bhattacharyyaパラメータ、又は誤り確率に基づき決定される、請求項８乃至１３のいずれか一項に記載の符号化機器。
【請求項１５】
極性符号化方法であって、
ブロードキャストシグナリングのペイロードｐａｙｌｏａｄがＤ個の巡回冗長検査ＣＲＣビット及びＭ個の予測可能情報ビットを含むことを決定するステップと、
前記Ｍ個の予測可能情報ビットを、それぞれ、極性符号のＫ個の情報ビットに対応するサブチャネルの中のＭ個の低信頼性サブチャネルにマッピングし、前記Ｄ個の巡回冗長検査ＣＲＣビットを前記Ｋ個の情報ビットの残りの情報ビットに対応するサブチャネルの中のＤ個の高信頼性サブチャネルにマッピングして、マッピングされたビットを取得するステップであって、Ｍ＜Ｋ、且つＤ、Ｍ、及びＫは全て正整数である、ステップと、
前記マッピングされたビットに対して極性符号化を実行して、符号化ビットを取得するステップと、
前記符号化ビットを送信するステップと、
を含む符号化方法。
【請求項１６】
前記Ｍ個の予測可能情報ビットは、以下のビットの組み合わせ：
Ｍ１個の第１種類ビット、Ｍ２個の第２種類ビット、Ｍ３個の第３種類ビット、Ｍ４個の第４種類ビット、又はＭ５個の第５種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、前記第４種類ビットは非予測可能情報ビットであり、及び前記第５種類ビットは異なるシナリオにおいて異なるビット種類に属し、Ｍ１、Ｍ２、Ｍ３、Ｍ４、及びＭ５は全て正整数であり、且つＭ以下である、請求項１５に記載の符号化方法。
【請求項１７】
前記Ｍ個の予測可能情報ビットは、前記Ｍ１個の第１種類ビット及び前記Ｍ２個の第２種類ビットを含み、
前記Ｍ個の予測可能情報ビットを、それぞれ、極性符号のＫ個の情報ビットに対応するサブチャネルの中のＭ個の低信頼性サブチャネルにマッピングする前記ステップは、具体的に、
前記Ｍ１個の第１種類ビットをＭ個のサブチャネルの中のＭ１個の低信頼性サブチャネルにマッピングするステップであって、前記Ｍ個のサブチャネルは、前記極性符号の前記Ｋ個の情報ビットに対応する前記サブチャネルの中の前記Ｍ個の低信頼性サブチャネルである、ステップと、
前記Ｍ２個の第２種類ビットを（Ｍ-Ｍ１）個のサブチャネルの中のＭ２個の低信頼性情報ビットにマッピングするステップと、
を含む、請求項１５又は１６に記載の符号化方法。
【請求項１８】
前記Ｍ個の予測可能情報ビットが、前記Ｍ１個の第１種類ビット、前記Ｍ２個の第２種類ビット、及び前記Ｍ３個の第３種類ビットを含み、前記Ｍ個の予測可能情報ビットを、それぞれ、極性符号のＫ個の情報ビットに対応するサブチャネルの中のＭ個の低信頼性サブチャネルにマッピングする前記ステップは、具体的に、
前記Ｍ１個の第１種類ビットを、Ｍ個のサブチャネルの中のＭ１個の低信頼性サブチャネルにマッピングするステップと、
前記Ｍ２個の第２種類ビットを、（Ｍ−Ｍ１)個のサブチャネルの中のＭ２個の低信頼性情報ビットにマッピングするステップと、
前記Ｍ３個の第３種類ビットを、（Ｍ−Ｍ１−Ｍ２）個のサブチャネルの中のＭ３個の低信頼性情報ビットにマッピングするステップと、
を含む、請求項１５又は１６に記載の符号化方法。
【請求項１９】
前記Ｍ個の予測可能情報ビットは、前記Ｍ５個の第５種類ビットを含み、前記Ｍ５個の第５種類ビットをＭ個の情報ビットの中のＭ個の低信頼性情報ビットにマッピングする前記ステップは、具体的に、
前記Ｍ５個の第５種類ビットを以下の１つ以上のサブチャネルの組み合わせにマッピングするステップであって、前記１つ以上のサブチャネルの組み合わせは、
（Ｍ１+Ｍ５）個の第１種類ビットに対応するサブチャネルの中のＭ５個のサブチャネル、（Ｍ２+Ｍ５）個の第２種類ビットに対応するサブチャネルの中のＭ５個のサブチャネル、（Ｍ３+Ｍ５）個の第３種類ビットに対応するサブチャネルの中のＭ５個のサブチャネル、（Ｍ４+Ｍ５）個の第４種類ビットに対応するサブチャネルの中のＭ５個のサブチャネル、又はＭ２個の第２種類ビットに対応するＭ２個のサブチャネルとＭ３個の第３種類ビットに対応するＭ３個のサブチャネルとの間のＭ５個のサブチャネル、を含む、請求項１５又は１６に記載の符号化方法。
【請求項２０】
前記ｐａｙｌｏａｄは、Ｊ個の非予測可能情報ビットを更に含み、
前記Ｊ個の非予測可能情報ビットは、（Ｋ−Ｍ−Ｄ）個のサブチャネルの中のＪ個の低信頼性サブチャネルにマッピングされ、Ｊ＜Ｋ、且つＪは正整数である、請求項１５に記載の符号化方法。
【請求項２１】
極性符号化機器であって、
プロセッサであって、ブロードキャストシグナリングのペイロードｐａｙｌｏａｄがＤ個の巡回冗長検査ＣＲＣビット及びＭ個の予測可能情報ビットを含むことを決定し、
前記Ｍ個の予測可能情報ビットを、それぞれ、極性符号のＫ個の情報ビットに対応するサブチャネルの中のＭ個の低信頼性サブチャネルにマッピングし、前記Ｄ個の巡回冗長検査ＣＲＣビットを前記Ｋ個の情報ビットの残りの情報ビットに対応するサブチャネルの中のＤ個の高信頼性サブチャネルにマッピングして、マッピングされたビットを取得し、Ｍ＜Ｋ、且つＤ、Ｍ、及びＫは全て正整数であり、
前記マッピングされたビットに対して極性符号化を実行して、符号化ビットを取得するよう構成される、プロセッサ、
を含む符号化機器。
【請求項２２】
前記Ｍ個の予測可能情報ビットは、以下のビットの組み合わせ：
Ｍ１個の第１種類ビット、Ｍ２個の第２種類ビット、Ｍ３個の第３種類ビット、Ｍ４個の第４種類ビット、又はＭ５個の第５種類ビット、のうちの１つ以上を含み、前記第１種類ビットは予約ビットであり、前記第２種類ビットは値が不変のままである情報ビットを含み、前記第３種類ビットは値が時系列情報の内容であり変化する予測可能情報ビットであり、前記第４種類ビットは非予測可能情報ビットであり、及び前記第５種類ビットは異なるシナリオにおいて異なるビット種類に属し、Ｍ１、Ｍ２、Ｍ３、Ｍ４、及びＭ５は全て正整数であり、且つＭ以下である、請求項２１に記載の符号化機器。
【請求項２３】
前記プロセッサは、具体的に、前記Ｍ個の予測可能情報ビットが、前記Ｍ１個の第１種類ビット及び前記Ｍ２個の第２種類ビットを含むとき、前記Ｍ１個の第１種類ビットを、Ｍ個のサブチャネルの中のＭ１個の低信頼性サブチャネルにマッピングし、前記Ｍ個のサブチャネルは、前記極性符号の前記Ｋ個の情報ビットに対応する前記サブチャネルの中の前記Ｍ個の低信頼性サブチャネルであり、前記Ｍ２個の第２種類ビットを（Ｍ-Ｍ１）個のサブチャネルの中のＭ２個の低信頼性情報ビットにマッピングするよう構成される、請求項２１又は２２に記載の符号化機器。
【請求項２４】
前記プロセッサは、具体的に、前記Ｍ個の予測可能情報ビットが、前記Ｍ１個の第１種類ビット、前記Ｍ２個の第２種類ビット、及び前記Ｍ３個の第３種類ビットを含むとき、前記Ｍ１個の第１種類ビットを、Ｍ個のサブチャネルの中のＭ１個の低信頼性サブチャネルにマッピングし、前記Ｍ２個の第２種類ビットを、（Ｍ−Ｍ１)個のサブチャネルの中のＭ２個の低信頼性情報ビットにマッピングし、前記Ｍ３個の第３種類ビットを、（Ｍ−Ｍ１−Ｍ２）個のサブチャネルの中のＭ３個の低信頼性情報ビットにマッピングする、よう構成される、請求項２１又は２２に記載の符号化機器。
【請求項２５】
前記プロセッサは、具体的に、前記Ｍ個の予測可能情報ビットが、前記Ｍ５個の第５種類ビットを含むとき、前記Ｍ５個の第５種類ビットを以下の１つ以上のサブチャネルの組み合わせにマッピングするよう構成され、前記１つ以上のサブチャネルの組み合わせは、
（Ｍ１+Ｍ５）個の第１種類ビットに対応するサブチャネルの中のＭ５個のサブチャネル、（Ｍ２+Ｍ５）個の第２種類ビットに対応するサブチャネルの中のＭ５個のサブチャネル、（Ｍ３+Ｍ５）個の第３種類ビットに対応するサブチャネルの中のＭ５個のサブチャネル、（Ｍ４+Ｍ５）個の第４種類ビットに対応するサブチャネルの中のＭ５個のサブチャネル、又はＭ２個の第２種類ビットに対応するＭ２個のサブチャネルとＭ３個の第３種類ビットに対応するＭ３個のサブチャネルとの間のＭ５個のサブチャネル、を含む、請求項２１又は２２に記載の符号化機器。
【請求項２６】
前記ｐａｙｌｏａｄは、Ｊ個の非予測可能情報ビットを更に含み、
前記プロセッサは、更に、前記Ｊ個の非予測可能情報ビットを、（Ｋ−Ｍ−Ｄ）個のサブチャネルの中のＪ個の低信頼性サブチャネルにマッピングするよう構成され、Ｊ＜Ｋ、且つＪは正整数である、請求項２１に記載の符号化機器。
【請求項２７】
極性符号化機器であって、プロセッサとメモリとを含み、前記メモリは一群のプログラムを格納し、前記プロセッサは、前記メモリに格納された前記プログラムを呼び出すよう構成され、前記プログラムが実行されると、前記プロセッサは、請求項１５乃至２０のいずれか一項に記載の方法を実行可能にされる、極性符号化機器。
【請求項２８】
命令を含むコンピュータ可読記憶媒体であって、前記命令がコンピュータ上で実行すると、前記コンピュータは、請求項１５乃至２０のいずれか一項に記載の方法を実行可能にされる、コンピュータ可読記憶媒体。
【請求項２９】
極性符号化方法であって、
ビットシーケンスを入力するステップであって、前記ビットシーケンスは時系列を表すビットを含み、前記時系列を表す前記ビットは、前記時系列の同期ブロックインデックスＳＳＢＩを含む、ステップと、
前記ビットシーケンスにインターリービング及びマッピングを実行し、インターリーブされたビットシーケンスを出力するステップであって、前記ＳＳＢＩは前記インターリーブされたビットシーケンスに対応するシーケンスセットにマッピングされ、前記シーケンスセットは｛２，３，５｝である、ステップと、
ｄ個の巡回冗長検査ＣＲＣビットを前記インターリーブされたビットシーケンスに接続して接続されたビットシーケンスを取得するステップであって、ｄは正整数である、ステップと、
分散型巡回冗長検査ＣＲＣビットインターリービングパターンに基づき、前記接続されたビットシーケンスに対してＤ−ＣＲＣインターリービングを実行して、Ｄ−ＣＲＣインターリービングされたビットシーケンスを出力するステップと、
前記Ｄ−ＣＲＣインターリービングされたビットシーケンスに対して極性ｐｏｌａｒ符号化を実行するステップと、
極性符号化ビットを出力するステップと、
を含む極性符号化方法。
【請求項３０】
時系列を表す前記ビットは、更に、半フレーム指示子ＨＦＩを含み、前記方法は、更に、
前記ＨＦＩを情報ビットセットの中の最小自然シーケンス番号を有するビットにマッピングするステップであって、前記情報ビットセットは、極性情報ビットに対応するサブチャネルの自然シーケンス番号の前から後ろへの格納を通じて取得されるビットセットである、ステップ、
を含む請求項２９に記載の符号化方法。
【請求項３１】
前記Ｄ−ＣＲＣインターリービングされたビットシーケンスに対して極性ｐｏｌａｒ符号化を実行する前記ステップは、具体的に、
前記Ｄ−ＣＲＣインターリービングされたビットシーケンスを表す前記ビットを、前記ｄ個のＣＲＣビットにより占有されるサブチャネルがｐｏｌａｒサブチャネルから除外された後に取得された残りのサブチャネルのｐｏｌａｒサブチャネルにマッピングするステップ、を含む、請求項２９に記載の符号化方法。
【請求項３２】
ｄは２４である、請求項２９に記載の符号化方法。
【請求項３３】
前記Ｄ−ＣＲＣインターリービングパターンは、
（０  ２  ３  ５  ７  １０  １１  １２  １４  １５  １８  １９  ２１  ２４  ２６  ３０  ３１  ３２  １  ４  ６  ８  １３  １６  ２０  ２２  ２５  ２７  ３３  ９  １７  ２３  ２８  ３４  ２９  ３５  ３６  ３７  ３８  ３９  ４０  ４１  ４２  ４３  ４４  ４５  ４６  ４７  ４８  ４９  ５０  ５１  ５２  ５３  ５４  ５５）である、請求項２９乃至３２のいずれか一項に記載の符号化方法。
【請求項３４】
前記ビットシーケンスに対してインターリービング及びマッピングを実行する前記ステップは、具体的に、
時系列を表す前記ビットがＳＦＮであるとき、前記ＳＦＮの一部が、前記インターリービングされたビットシーケンスに対応するシーケンスセットの中のサブセットにマッピングされ、前記サブセットは｛１０，３０，８，１７，１８，２３，１６｝である、又は前記サブセットは｛６，１０，３０，８，１７，１８，２３｝である、ことである、請求項２９に記載の符号化方法。
【請求項３５】
極性符号化機器であって、プロセッサとメモリとを含み、前記メモリは一群のプログラムを格納し、前記プロセッサは、前記メモリに格納された前記プログラムを呼び出すよう構成され、前記プログラムが実行されると、前記プロセッサは、請求項２９乃至３４のいずれか一項に記載の方法を実行可能にされる、極性符号化機器。
【請求項３６】
命令を含むコンピュータ可読記憶媒体であって、前記命令がコンピュータ上で実行すると、前記コンピュータは、請求項２９乃至３４のいずれか一項に記載の方法を実行可能にされる、コンピュータ可読記憶媒体。
【請求項３７】
符号化機器であって、前記機器は、請求項２９乃至３４のいずれか一項に記載の方法を実行するよう構成される符号化機器。
【請求項３８】
機器であって、
第１ビットシーケンスを取得する手段であって、前記第１ビットシーケンスはタイミングを示すビットを含み、タイミングを示す前記ビットは、同期信号ブロックインデックスＳＳＢＩを示すためのビットセットを含む、手段と、
第１ビットシーケンスをインターリービングして、インターリービングされたシーケンスを取得する手段であって、ＳＳＢＩを示すための前記ビットセットは前記インターリービングされたシーケンスの中のセットの中に配置され、前記セットは｛２，３，５｝である、手段と、
ｄ個の第１巡回冗長検査ＣＲＣビットを前記インターリービングされたシーケンスに追加して、第２ビットシーケンスを取得する手段であって、ｄは正整数である、手段と、
分散型ＣＲＣ（Ｄ−ＣＲＣ）インターリーブパターンに従い、前記第２ビットシーケンスに対してＤ−ＣＲＣインターリービングして、第２のインターリービングされたシーケンスを取得する手段と、
前記第２のインターリービングされたシーケンスを極性符号化して、符号化シーケンスを取得する手段と、
前記符号化シーケンスを出力する手段と、
を含む機器。
【請求項３９】
タイミングを示す前記ビットは半フレーム指示ＨＦＩを示す１個のビットを更に含み、前記ＨＦＩを示す前記１個のビットは、情報ビットセットの中の最小シーケンス番号のビット位置に置かれ、前記情報ビットセットは、前記インターリービングされたシーケンスの始めから、ｐｏｌａｒの情報ビットに対応する少なくとも１つのサブチャネルのシーケンス番号に基づき、昇順に順序づけられたセットである、請求項３８に記載の機器。
【請求項４０】
前記第２ビットシーケンスに対して分散型ＣＲＣ（Ｄ−ＣＲＣ）インターリービングする手段は、更に、
前記第２ビットシーケンスの中のタイミングを示す少なくとも１つのビットが、ｄ個のＣＲＣビットのサブチャネルを除く残りのｐｏｌａｒサブチャネルに対応する少なくとも１つのビット位置に置かれることを含む、請求項３８に記載の機器。
【請求項４１】
ｄは２４である、請求項３８に記載の機器。
【請求項４２】
前記インターリーブパターンは、
（０  ２  ３  ５  ７  １０  １１  １２  １４  １５  １８  １９  ２１  ２４  ２６  ３０  ３１  ３２  １  ４  ６  ８  １３  １６  ２０  ２２  ２５  ２７  ３３  ９  １７  ２３  ２８  ３４  ２９  ３５  ３６  ３７  ３８  ３９  ４０  ４１  ４２  ４３  ４４  ４５  ４６  ４７  ４８  ４９  ５０  ５１  ５２  ５３  ５４  ５５）である、請求項３８乃至４１のいずれか一項に記載の機器。
【請求項４３】
タイミングを示すビットは、更に、システムフレーム番号ＳＦＮを示すためのビットセットを含み、前記ＳＦＮを示す前記ビットセットの部分はセットの中に置かれ、前記セットは｛１０，３０，８，１７，１８，２３，１６｝又は｛６，１０，３０，８，１７，１８，２３｝を含む、請求項３８に記載の機器。
【手続補正２】
【補正対象書類名】図面
【補正対象項目名】図３
【補正方法】変更
【補正の内容】
【図３】
2020534746.tif 000016
【国際調査報告】
2020534746.tif 000017
2020534746.tif 000018
2020534746.tif 000019
2020534746.tif 000020
2020534746.tif 000021
2020534746.tif 000022